(57)【要約】  デバイス（例えばアクセスポイント、ＡＰ）は、プロセッサと、このプロセッサによってアクセス可能なメモリとを含む。メモリは、１つまたは複数のアクセスカテゴリ、ＡＣを指定するアクセスカテゴリデータを含む。１つまたは複数のアクセスカテゴリ、ＡＣは、ネットワークを介してセンサデータをワイヤレス通信するために１つまたは複数のステーションデバイス（ＳＴＡ）によって使用されるべき分散型チャネルアクセスパラメータ（例えば、ＣＷＭｉｎ、ＣＷＭａｘ、ＡＩＦＳＮ、ＴＸＯＰ）を指定するセンサアクセスカテゴリ、ＡＣ  ＳＥを含む。メモリは、ステーションデバイス（ＳＴＡ）がセンサデータを通信することを可能にするようにステーションデバイスにアクセスカテゴリデータの少なくとも一部を送るようプロセッサによって実行可能な命令をさらに含む。
2015506635.tif 000002
【特許請求の範囲】
【請求項１】
プロセッサと、
前記プロセッサによってアクセス可能なメモリであって、前記メモリが、
１つまたは複数のアクセスカテゴリを指定するアクセスカテゴリデータであって、前記１つまたは複数のアクセスカテゴリが、ネットワークを介してセンサデータをワイヤレス通信するために１つまたは複数のステーションデバイスによって使用されるべき分散型チャネルアクセスパラメータを指定するセンサアクセスカテゴリを含む、アクセスカテゴリデータ、および
ステーションデバイスがセンサデータを通信することを可能にするように前記ステーションデバイスに前記アクセスカテゴリデータの少なくとも一部を送るよう前記プロセッサによって実行可能な命令
を備える、メモリと
を備えるデバイス。
【請求項２】
前記メモリが、前記１つまたは複数のステーションデバイスにより前記ネットワークを確立するよう前記プロセッサによって実行可能な命令をさらに備える、請求項１に記載のデバイス。
【請求項３】
前記１つまたは複数のアクセスカテゴリが、前記ネットワークを介して媒体データをワイヤレス通信するために前記１つまたは複数のステーションデバイスによって使用されるべき分散型チャネルアクセスパラメータを指定する少なくとも１つの媒体アクセスカテゴリをさらに含む、請求項１に記載のデバイス。
【請求項４】
前記センサアクセスカテゴリが第１の調停フレーム内間隔数（ＡＩＦＳＮ）値を示し、前記アクセスカテゴリデータが少なくとも１つの媒体アクセスカテゴリに関する第２のＡＩＦＳＮ値を含み、前記第１のＡＩＦＳＮ値が前記第２のＡＩＦＳＮ値よりも低い、請求項１に記載のデバイス。
【請求項５】
前記センサアクセスカテゴリが、７という最小コンテンションウィンドウ値と、３１という最大コンテンションウィンドウ値と、２という調停フレーム内間隔数（ＡＩＦＳＮ）値とを示す、請求項１に記載のデバイス。
【請求項６】
前記センサアクセスカテゴリが、７という最小コンテンションウィンドウ値と、１５という最大コンテンションウィンドウ値と、２という調停フレーム内間隔数（ＡＩＦＳＮ）値とを示す、請求項１に記載のデバイス。
【請求項７】
前記センサアクセスカテゴリが送信機会（ＴＸＯＰ）値を示し、前記ＴＸＯＰ値がゼロ（０）またはおよそ１５．６ミリ秒のうち１つである、請求項１に記載のデバイス。
【請求項８】
前記１つまたは複数のアクセスカテゴリが、ベストエフォートデータおよびバックグラウンドデータの送信のための単一アクセスカテゴリを含む、請求項１に記載のデバイス。
【請求項９】
プロセッサと、
前記プロセッサによってアクセス可能なメモリであって、前記メモリが、
１つまたは複数のアクセスカテゴリを指定するアクセスカテゴリデータであって、前記１つまたは複数のアクセスカテゴリが、センサデータをワイヤレス通信するために使用されるべき分散型チャネルアクセスパラメータを指定するセンサアクセスカテゴリを含む、アクセスカテゴリデータ、および
前記センサアクセスカテゴリを使用してセンサデータをワイヤレス送信するよう前記プロセッサによって実行可能な命令
を備える、メモリと
を備えるデバイス。
【請求項１０】
前記１つまたは複数のアクセスカテゴリが、媒体データをワイヤレス通信するために使用されるべき分散型チャネルアクセスパラメータを指定する少なくとも１つの媒体アクセスカテゴリをさらに含む、請求項９に記載のデバイス。
【請求項１１】
前記アクセスカテゴリデータが、前記センサデータに対してよりも、前記媒体データに対して低い優先度を指定する、請求項１０に記載のデバイス。
【請求項１２】
前記１つまたは複数のアクセスカテゴリが、音声データをワイヤレス通信するために使用すべき分散型チャネルアクセスパラメータを指定する少なくとも１つの音声アクセスカテゴリをさらに含む、請求項９に記載のデバイス。
【請求項１３】
前記アクセスカテゴリデータが、前記センサデータに対してよりも、音声データに対して低い優先度を指定する、請求項１０に記載のデバイス。
【請求項１４】
前記１つまたは複数のアクセスカテゴリが、ビデオデータをワイヤレス通信するために使用されるべき分散型チャネルアクセスパラメータを指定する少なくとも１つのビデオアクセスカテゴリをさらに含む、請求項９に記載のデバイス。
【請求項１５】
前記アクセスカテゴリデータが、前記センサデータに対してよりも、前記ビデオデータに対して低い優先度を指定する、請求項１４に記載のデバイス。
【請求項１６】
アクセスカテゴリデータを使用して、第１のデータのデータタイプに割り当てられたアクセスカテゴリに基づいて前記第１のデータの送信のために使用されるべき分散型チャネルアクセスパラメータを決定するための手段であって、前記アクセスカテゴリデータが、センサデータをワイヤレス通信するために使用されるべきセンサデータ分散型チャネルアクセスパラメータを指定するセンサアクセスカテゴリを含む１つまたは複数のアクセスカテゴリを指定する、手段と、
前記決定された分散型チャネルアクセスパラメータを使用して、前記第１のデータをワイヤレス送信するための手段と
を備える装置。
【請求項１７】
送信されるべき前記第１のデータのデータタイプを決定するための手段をさらに備える、請求項１６に記載の装置。
【請求項１８】
前記第１のデータの送信のために使用されるべき前記分散型チャネルアクセスパラメータを決定する前にアクセスポイントからアクセスカテゴリデータの少なくとも一部を受信するための手段をさらに備える、請求項１６に記載の装置。
【請求項１９】
前記センサアクセスカテゴリが第１の調停フレーム内間隔数（ＡＩＦＳＮ）を示し、前記アクセスカテゴリデータが少なくとも１つの媒体アクセスカテゴリに関する第２のＡＩＦＳＮを含み、前記第１のＡＩＦＳＮが前記第２のＡＩＦＳＮよりも低い、請求項１６に記載のデバイス。
【請求項２０】
前記センサアクセスカテゴリが、７という最小コンテンションウィンドウ値と、３１という最大コンテンションウィンドウ値と、２という調停フレーム内間隔数（ＡＩＦＳＮ）値とを示す、請求項１６に記載のデバイス。
【請求項２１】
前記アクセスカテゴリデータが、１５という最小コンテンションウィンドウ値と、３１という最大コンテンションウィンドウ値と、４というＡＩＦＳＮ値とを有する音声アクセスカテゴリを指定する、請求項２０に記載のデバイス。
【請求項２２】
前記アクセスカテゴリデータが、１５という最小コンテンションウィンドウ値と、３１という最大コンテンションウィンドウ値と、５というＡＩＦＳＮ値とを有するビデオアクセスカテゴリを指定する、請求項２０に記載のデバイス。
【請求項２３】
前記アクセスカテゴリデータが、３１という最小コンテンションウィンドウ値と、１０２３という最大コンテンションウィンドウ値と、７というＡＩＦＳＮ値とを有するベストエフォートアクセスカテゴリを指定する、請求項２０に記載のデバイス。
【請求項２４】
送信されるべき第１のデータのデータタイプを決定することと、
アクセスカテゴリデータを使用して、前記第１のデータの前記データタイプに割り当てられたアクセスカテゴリに基づいて前記第１のデータの送信のために使用されるべき分散型チャネルアクセスパラメータを決定することであって、前記アクセスカテゴリデータが、センサデータをワイヤレス通信するために使用されるべきセンサデータ分散型チャネルアクセスパラメータを指定するセンサアクセスカテゴリを含む１つまたは複数のアクセスカテゴリを指定する、決定することと、
前記決定された分散型チャネルアクセスパラメータを使用して、前記第１のデータをワイヤレス送信することと
を備える方法。
【請求項２５】
前記第１のデータの送信のために使用されるべき前記分散型チャネルアクセスパラメータを決定する前にアクセスポイントから前記アクセスカテゴリデータの少なくとも一部を受信することをさらに備える、請求項２４に記載の方法。
【請求項２６】
前記センサデータ分散型チャネルアクセスパラメータが、７という最小コンテンションウィンドウ値と、１５という最大コンテンションウィンドウ値と、２という調停フレーム内間隔数（ＡＩＦＳＮ）値とを含む、請求項２４に記載の方法。
【請求項２７】
前記１つまたは複数のアクセスカテゴリが、１５（７）という最小コンテンションウィンドウ値と、３１という最大コンテンションウィンドウ値と、４というＡＩＦＳＮ値とを含むビデオデータ分散型チャネルアクセスパラメータを指定するビデオアクセスカテゴリを含む、請求項２６に記載の方法。
【請求項２８】
前記センサデータ分散型チャネルアクセスパラメータが、ゼロ（０）という送信機会（ＴＸＯＰ）値を示す、請求項２４に記載の方法。
【請求項２９】
前記センサデータ分散型チャネルアクセスパラメータが、およそ１５．６ミリ秒という送信機会（ＴＸＯＰ）値を示す、請求項２４に記載の方法。
【請求項３０】
前記１つまたは複数のアクセスカテゴリが、ベストエフォートデータおよびバックグラウンドデータの送信のための単一アクセスカテゴリを含む、請求項２４に記載の方法。
【請求項３１】
前記データタイプがアクセスカテゴリに関連付けられる、請求項２４に記載の方法。
【請求項３２】
前記データタイプが、ベストエフォート、ビデオ、音声、またはセンサのうち１つを備える、請求項２４に記載の方法。
【請求項３３】
前記１つまたは複数のアクセスカテゴリが、前記センサアクセスカテゴリ、ベストエフォートアクセスカテゴリ、ビデオアクセスカテゴリ、音声アクセスカテゴリ、またはこれらの組合せを含む、請求項２４に記載の方法。
【請求項３４】
前記１つまたは複数のアクセスカテゴリが、ベストエフォートデータおよびバックグラウンドデータのための単一アクセスカテゴリを含む、請求項３３に記載の方法。
【請求項３５】
前記少なくとも１つのチャネルアクセスパラメータが、最小コンテンションウィンドウ値、最大コンテンションウィンドウ値、調停フレーム内間隔数値、またはこれらの組合せを備える、請求項２４に記載の方法。
【請求項３６】
前記少なくとも１つのチャネルアクセスパラメータが拡張分散型チャネルアクセス（ＥＤＣＡ）パラメータに関連付けられる、請求項２４に記載の方法。
【請求項３７】
プロセッサ実行可能命令を備える非一時的記憶媒体であって、前記命令は、プロセッサによって実行されるとき、前記プロセッサに、
送信されるべき第１のデータのデータタイプを決定することと、
アクセスカテゴリデータを使用して、前記第１のデータの前記データタイプに割り当てられたアクセスカテゴリに基づいて前記第１のデータの送信のために使用されるべき分散型チャネルアクセスパラメータを決定することであって、前記アクセスカテゴリデータが、センサデータをワイヤレス通信するために使用されるべきセンサデータ分散型チャネルアクセスパラメータを指定する、決定することとを行わせる、センサアクセスカテゴリを含む１つまたは複数のアクセスカテゴリを指定する、
非一時的記憶媒体。
【請求項３８】
少なくとも１つのチャネルアクセスパラメータがデバイスタイプに少なくとも部分的に基づいて決定される、請求項３７に記載の非一時的記憶媒体。
【請求項３９】
少なくとも１つのチャネルアクセスパラメータが、デバイスが特定のグループの一員であることに少なくとも部分的に基づいて決定される、請求項３７に記載の非一時的記憶媒体。
【請求項４０】
少なくとも１つのチャネルアクセスパラメータがトラフィックタイプに少なくとも部分的に基づいて決定される、請求項３７に記載の非一時的記憶媒体。
【請求項４１】
前記プロセッサによって実行されるとき、前記プロセッサに、米国電気電子学会（ＩＥＥＥ）８０２．１１ａｈ規格に基づいて少なくとも１つのチャネルアクセスパラメータを決定させるプロセッサ実行可能命令をさらに備える、請求項３７に記載の非一時的記憶媒体。
【請求項４２】
前記プロセッサによって実行されるとき、前記プロセッサに、基本値およびデルタ値に基づいて少なくとも１つの分散型チャネルアクセスパラメータの第１の値を決定させるプロセッサ実行可能命令をさらに備える、請求項３７に記載の非一時的記憶媒体。
【請求項４３】
前記プロセッサによって実行されるとき、前記プロセッサに、
第２の基本値を受信させ、
前記第２の基本値および前記デルタ値に基づいて、前記少なくとも１つの分散型チャネルアクセスパラメータの第２の値を決定させる
プロセッサ実行可能命令をさらに備える、請求項４２に記載の非一時的記憶媒体。
【請求項４４】
ビーコン内の前記基本値を受信することをさらに備える、請求項４２に記載の非一時的記憶媒体。
【請求項４５】
前記デルタ値がデバイス固有デルタ値またはグループ固有デルタ値を備える、請求項４２に記載の非一時的記憶媒体。
【請求項４６】
前記プロセッサによって実行されるとき、前記プロセッサに、前記決定された分散型チャネルアクセスパラメータを使用して前記第１のデータのワイヤレス送信を開始させるプロセッサ実行可能命令をさらに備える、請求項４２に記載の非一時的記憶媒体。
【請求項４７】
データを送信するためにデバイスに関連付けられたデバイスタイプを決定することと、
アクセスカテゴリデータを使用して、前記デバイスタイプに基づいて前記データの送信のために使用されるべき少なくとも１つの分散型チャネルアクセスパラメータを決定することであって、前記アクセスカテゴリデータが、センサアクセスカテゴリを含む１つまたは複数のアクセスカテゴリを指定し、前記センサアクセスカテゴリが、センサデータをワイヤレス通信するために使用されるべきセンサデータ分散型チャネルアクセスパラメータを指定する、決定することと
を備える方法。
【請求項４８】
前記少なくとも１つのチャネルアクセスパラメータが、最小コンテンションウィンドウ値、最大コンテンションウィンドウ値、調停フレーム内間隔数値、またはこれらの組合せのうち１つを備える、請求項４７に記載の方法。
【請求項４９】
前記少なくとも１つのチャネルアクセスパラメータが拡張分散型チャネルアクセス（ＥＤＣＡ）パラメータに関連付けられる、請求項４７に記載の方法。
【請求項５０】
前記少なくとも１つのチャネルアクセスパラメータが送信機会（ＴＸＯＰ）値に関連付けられる、請求項４７に記載の方法。
【請求項５１】
前記デバイスタイプが、前記デバイスが特定のグループの一員であることに基づいて決定される、請求項４７に記載の方法。
【請求項５２】
前記デバイスタイプが、前記デバイスによって生成されるデータのトラフィックタイプに基づいて決定される、請求項４７に記載の方法。
【請求項５３】
前記デバイスタイプが、センサ、非センサ、バッテリ式、電源式、またはこれらの組合せを備える、請求項４７に記載の方法。
【請求項５４】
前記１つまたは複数のアクセスカテゴリが、前記センサアクセスカテゴリ、ベストエフォートアクセスカテゴリ、ビデオアクセスカテゴリ、音声アクセスカテゴリ、またはこれらの組合せを備える、請求項４７に記載の方法。
【請求項５５】
前記１つまたは複数のアクセスカテゴリが、ベストエフォートデータおよびバックグラウンドデータのための単一アクセスカテゴリを備える、請求項５４に記載の方法。
【請求項５６】
米国電気電子学会（ＩＥＥＥ）８０２．１１ａｈ規格に基づいて前記少なくとも１つのチャネルアクセスパラメータを決定することをさらに備える、請求項４７に記載の方法。
【請求項５７】
データを送信するデバイスを識別することと、
アクセスカテゴリデータを使用して、前記識別されたデバイスに基づいて前記データの送信のために使用されるべき少なくとも１つの分散型チャネルアクセスパラメータを決定することであって、前記アクセスカテゴリデータが、センサアクセスカテゴリを含む１つまたは複数のアクセスカテゴリを指定し、前記センサアクセスカテゴリが、センサデータをワイヤレス通信するために使用されるべきセンサデータ分散型チャネルアクセスパラメータを指定する、決定することと
を備える方法。
【請求項５８】
前記デバイスが、デバイス識別子、前記デバイスに関連付けられたネットワークアドレス、前記デバイスに関連付けられたローカル識別子、前記デバイスに関連付けられたネットワーク識別子、またはこれらの組合せに基づいて識別される、請求項５７に記載の方法。
【請求項５９】
前記デバイス識別子が、国際モバイル加入者識別情報、国際モバイル機器識別情報、加入者識別モジュール識別子、メディアアクセス制御アドレス、電子シリアル番号、またはこれらの組合せを備える、請求項５８に記載の方法。
【請求項６０】
前記１つまたは複数のアクセスカテゴリが、前記センサアクセスカテゴリ、ベストエフォートアクセスカテゴリ、ビデオアクセスカテゴリ、音声アクセスカテゴリ、またはこれらの組合せを備える、請求項５７に記載の方法。
【請求項６１】
前記１つまたは複数のアクセスカテゴリが、ベストエフォートデータおよびバックグラウンドデータのための単一アクセスカテゴリを備える、請求項６０に記載の方法。
【請求項６２】
前記少なくとも１つのチャネルアクセスパラメータが、最小コンテンションウィンドウ値、最大コンテンションウィンドウ値、調停フレーム内間隔数値、またはこれらの組合せを備える、請求項５７に記載の方法。
【請求項６３】
前記少なくとも１つのチャネルアクセスパラメータが拡張分散型チャネルアクセス（ＥＤＣＡ）パラメータに関連付けられる、請求項５７に記載の方法。
【発明の詳細な説明】
【関連出願の相互参照】
【０００１】
[0001]本出願は、本出願の権利者が所有する２０１２年１月９日に出願された米国特許仮出願第６１／５８４，６９８号、２０１２年１月１２日に出願された米国特許仮出願第６１／５８５，８１０号、２０１２年４月２０日に出願された米国特許仮出願第６１／６３６，３８２号、２０１２年６月１８日に出願された米国特許仮出願第６１／６６１，３２６号、および２０１２年７月１１日に出願された米国特許仮出願第６１／６７０，５７５号からの優先権を主張するものであり、これらの出願の各々の内容は、参照によりその全体が明示的に本明細書に組み込まれる。
【技術分野】
【０００２】
[0002]本開示は、一般に、分散型（distributed）チャネルアクセスパラメータを使用してワイヤレスで通信することに関する。
【背景技術】
【０００３】
[0003]技術の進歩の結果、より小型でより強力なコンピューティングデバイスがもたらされた。たとえば、現在、小型で軽量な、ユーザにより容易に持ち運ばれる、ポータブルワイヤレス電話、携帯情報端末（ＰＤＡ）、およびページングデバイスなどのワイヤレスコンピューティングデバイスを含む、様々なポータブルパーソナルコンピューティングデバイスが存在する。より具体的には、セルラー電話およびインターネットプロトコル（ＩＰ）電話などのポータブルワイヤレス電話は、ワイヤレスネットワークを介して音声パケットとデータパケットとを通信することができる。多くのそのようなワイヤレス電話は、追加デバイスを組み込んで、拡張機能をエンドユーザに提供する。たとえば、ワイヤレス電話は、デジタルスチルカメラ、デジタルビデオカメラ、デジタルレコーダ、およびオーディオファイルプレーヤも含むことができる。また、そのようなワイヤレス電話は、インターネットにアクセスするために使用され得るウェブブラウザアプリケーションなどのソフトウェアアプリケーションを実行することができる。したがって、これらのワイヤレス電話は、かなりのコンピューティング機能を含むことができる。
【０００４】
[0004]米国電気電子学会（ＩＥＥＥ）８０２．１１ａｈ準拠ネットワークなどのワイヤレスネットワークでは、分散型チャネルアクセスパラメータは、ワイヤレスネットワークを介して通信するデバイスによる伝送媒体（たとえばワイヤレスネットワーク）へのアクセスを制御するように定義され得る。
【０００５】
[0005]分散型チャネルアクセスパラメータにより、高優先トラフィックは、低優先トラフィックよりも送られる可能性を増加させることができる。たとえば、高優先トラフィックを送信するステーションは、平均して、パケットを送る前に、低優先トラフィックを送信する別のステーションよりも短い時間待機することができる。分散型チャネルアクセスパラメータは、高優先トラフィックおよび低優先トラフィックのために、種々のコンテンションウィンドウ（contention windows）（ＣＷ）値と種々の調停フレーム間間隔（arbitration inter-frame space）（ＡＩＦＳ）値とを定義することによって、トラフィックに優先度を付ける。たとえば、高優先トラフィックは、より低い優先トラフィックよりも短いＣＷと短いＡＩＦＳとを有することができる。分散型チャネルアクセスパラメータにおける優先権のレベルは、アクセスカテゴリ（ＡＣ）と呼ばれることがある。
【０００６】
[0006]サービスクラス（ＣｏＳ）と呼ばれるサービス品質（ＱｏＳ）技法は、優先度コードポイント（ＰＣＰ：priority code point）と呼ばれる３ビットのフィールドを含み、１つまたは複数のＩＥＥＥ規格に準拠したネットワークを介して送信されるフレームヘッダ内で通信され得る。ＰＣＰは、トラフィックを区別するために使用され得る優先度値を含む、ゼロ（０）（たとえば、最低の優先度）と７（たとえば、最高の優先度）との間で優先度値を指定する。アクセスカテゴリ（たとえば、優先度レベル）は、イーサネット（登録商標）レベルのサービスクラス（ＣｏＳ）優先度レベルから直接マッピングされ得る。
【発明の概要】
【０００７】
[0007]分散型チャネルアクセスパラメータを使用してワイヤレスで通信するシステムおよび方法が開示される。本明細書で説明する分散型チャネルアクセスパラメータは、センサトラフィックおよびセンサデバイスのアクティビティに適合され得る。特に、説明する技法は、低いデューティサイクルを有する米国電気電子学会（ＩＥＥＥ）８０２．１１ａｈ準拠デバイスに適用例を見つけることができる。説明するために、ＩＥＥＥ８０２．１１ａｈ準拠ネットワークを介して通信するワイヤレスセンサは、比較的短い時間期間に起動し、少なくとも１つの測定を実行し、測定の結果を宛先に通信し、次いで比較的長い時間の期間にわたってスリープすることができる。ワイヤレスセンサは低いデューティサイクル（すなわち、短い「活動状態」持続期間）を有することができるので、センサトラフィックに関連付けられたチャネルアクセスパラメータには、エネルギーにより制約されるデバイス（たとえば、バッテリ電源を使用して動作するデバイス）のパワーを温存する（conserve）ために、高い優先度が割り当てられ得る。
【０００８】
[0008]特定の一実施形態では、センサアクセスカテゴリ（ＳＥ）は、最も高い優先度（たとえば、低い調停フレーム間間隔数（ＡＩＦＳＮ：arbitration inter-frame space number）値）が割り当てられ得る。また、センサアクセスカテゴリ（ＳＥ）のコンテンションウィンドウの値（たとえばＣＷｍｉｎおよびＣＷｍａｘ）は、多数のステーションデバイス（たとえばセンサ）をサポートするように調整され得る。たとえば、複数のセンサは、１パケット毎秒（ｐｋｔ／ｓｅｃ）よりも小さいデューティサイクルを有する短いパケットを送信することができる。非センサアクセスカテゴリも定義され得る。たとえば、ベストエフォートアクセスカテゴリ（best efforts access category）（ＢＥ）は、ベストエフォートトラフィックと、バックグラウンドトラフィックとを含むことができる（たとえば、ベストエフォートトラフィックおよびバックグラウンドトラフィックは、単一アクセスカテゴリにマージされ得る）。ベストエフォートトラフィックはウェブブラウジングトラフィックを含むことができ、バックグラウンドトラフィックは、ユーザによって定義されないデータ（たとえば、デバイスのアプリケーションに関連付けられたアプリケーション更新データ）を含むことができる。別の例として、ビデオアクセスカテゴリ（ＶＩ）および音声アクセスカテゴリ（ＶＯ）の分散型チャネルアクセスパラメータは、音声トラフィックで低いアクセス遅延が発生し（experience）、かつビデオトラフィックが高いビットレートで送信されるように定義され得る。
【０００９】
[0009]ＡＩＦＳＮ値は、特定のアクセスカテゴリに別のアクセスカテゴリ（ＡＣ）よりも上の優先度を付けることに関連付けられ得る。ＡＩＦＳＮ値は、ステーションが連続したフレームを送信する間に待機可能な時間期間の短縮または拡張を定義することができる。待機時間期間が短くなるほど、メッセージは、低いレイテンシー（low latency）で送信される高い確率を有することが可能になり、これは、媒体データ（たとえば、音声データ、ビデオデータ、またはストリーミングデータ）などの遅延クリティカルな（delay-critical）データに関する考慮事項である。調停フレーム間間隔（ＡＩＦＳ：arbitration inter-frame space）値は、式：ＡＩＦＳＮ［ＡＣ］＊ＳＴ＋ＳＩＦＳによって定義され得、ここで、ＡＩＦＳＮはアクセスカテゴリに依存し、ＳＴは物理層に依存したスロット時間であり、短いフレーム間間隔（ＳＩＦＳ：short inter-frame space）は、データフレームと肯定応答（ＡＣＫ）フレームとの間の時間である。
【００１０】
[0010]分散型チャネルアクセスパラメータは、送信機会（ＴＸＯＰ：transmit opportunity）（たとえば送信機会（transmission opportunity））と呼ばれる期間にわたってチャネルへの競合のない（contention free）アクセスに対応することができる。ＴＸＯＰは、特定の送信の持続時間がＴＸＯＰの最大持続時間を超えて延長ない限り、ステーションが可能な限り多くのフレームを送ることができる、制限のある（bounded）時間間隔である。特定の送信がＴＸＯＰの最大持続時間を超えて延長する場合、その送信は、ＴＸＯＰの最大持続時間を超えて延長されない複数の送信に分割され得る。ＴＸＯＰを使用することによって、従来のＩＥＥＥ８０２．１１分散調整機能（ＤＣＦ）でメディアアクセス制御（ＭＡＣ）ネットワークが発生することができる過度の（inordinate）量のチャネル時間を取得するステーションの割合が低いという問題が減少する。ゼロ（０）というＴＸＯＰ時間間隔は、ステーションが単一ＭＡＣサービスデータユニット（ＭＳＤＵ）またはＭＡＣ管理プロトコルデータユニット（ＭＭＰＤＵ）に限定されることを示す。
【００１１】
[0011]非センサトラフィックに対する分散型チャネルアクセスパラメータは、種々のタイプのトラフィックに関連付けられた種々のサービス品質（ＱｏＳ）要件を考慮するように指定され得る。たとえば、ビデオトラフィック、音声トラフィック、ベストエフォートトラフィック、およびバックグラウンドトラフィックは各々、種々のＱｏＳ要件を有することができる。
【００１２】
[0012]特定の一実施形態では、分散型チャネルアクセスパラメータは、４つのアクセスカテゴリに対して定義され得る。この４つのアクセスカテゴリは、センサトラフィックに対するセンサアクセスカテゴリ（ＳＥ）、音声トラフィックに対する音声アクセスカテゴリ（ＶＯ）、ビデオトラフィックに対するビデオアクセスカテゴリ（ＶＩ）、ならびにベストエフォートトラフィックおよびバックグラウンドトラフィックに対するベストエフォートアクセスカテゴリ（ＢＥ）を含み得る。アクセスカテゴリの優先度の階層は、センサトラフィックが他のトラフィックタイプと比較して高い優先度を有することを示すことができる。特定の一実施形態では、分散型チャネルアクセスパラメータは、各アクセスカテゴリに対して、対応する最小コンテンションウィンドウ（ＣＷｍｉｎ）値と、対応する最大コンテンションウィンドウ（ＣＷｍａｘ）値と、調停フレーム内間隔数（ＡＩＦＳＮ）値とを定義することができる。特定の一実施形態では、ＣＷｍｉｎ値、ＣＷｍａｘ値、およびＡＩＦＳＮ値の各々は静的な値であってもよい。
【００１３】
[0013]別の特定の実施形態では、送信機会（transmission opportunity）（ＴＸＯＰ）（たとえば送信機会（transmit opportunity））は、ＩＥＥＥ８０２．１１ａｈ準拠ネットワークで使用される複数のアクセスカテゴリに対して定義され得る。たとえば、センサアクセスカテゴリ（ＳＥ）に対するＴＸＯＰ値は、特定のセンサが１つのパケット（たとえば、１５０キロバイト毎秒（ｋｂｐｓ）で２５６バイト）を送ることができる、およそ（たとえば、±２０％）１５．６ミリ秒（ｍｓ）と定義され得る。音声アクセスカテゴリ（ＶＯ）およびビデオアクセスカテゴリ（ＶＩ）に対するＴＸＯＰ値は、ＩＥＥＥ８０２．１１ａｃによって定義された音声アクセスカテゴリ（ＶＯ）およびビデオアクセスカテゴリ（ＶＩ）に対するＴＸＯＰ値に適用される、１０というスケーリングファクタに基づいて定義され得る。さらなる一例として、ベストエフォートアクセスカテゴリおよびバックグラウンドアクセスカテゴリに対するＴＸＯＰ値はゼロ（０）と定義され得る。特定の一実施形態では、２０ミリ秒（ｍｓ）よりも大きい値すべてのＴＸＯＰは、少なくとも伝播、チャネル、およびドップラー効果の各問題を考慮するためにおよそ（たとえば、±２０％）２０ミリ秒（ｍｓ）に切り捨てられ得る。
【００１４】
[0014]別の特定の実施形態では、ＩＥＥＥ８０２．１１ａｈ準拠ネットワークで使用される複数のアクセスカテゴリに対して定義される送信機会（ＴＸＯＰ）は、ＩＥＥＥ８０２．１１ａｃによって定義されたＴＸＯＰ値を含むことができる。特定の一実施形態では、ＴＸＯＰ値は、センサアクセスカテゴリ（ＳＥ）に対するＴＸＯＰ値を含むことができる。たとえば、センサアクセスカテゴリ（ＳＥ）に対するＴＸＯＰ値はゼロ（０）であってもよい。
【００１５】
[0015]別の実施形態では、複数のアクセスカテゴリは次のように定義され得る。最も高い優先度のアクセスカテゴリは、音声およびセンサ（ＶＳ）適用例に対して指定され得る。２番目に高い優先度のアクセスカテゴリはビデオ（ＶＩ）に対して定義され得る。３番目に高い優先度のアクセスカテゴリは、ベストエフォートカテゴリよりも良い（ＢＢＥ）カテゴリとして定義され得る。最も低い優先度のアクセスカテゴリは、ベストエフォート（ＢＥ）カテゴリと定義され得る。結果として生じるアクセスカテゴリのセットはＶＳ／ＶＩ／ＢＢＥ／ＢＥである。したがって、同じ順序または異なる順序で優先度の様々な（１つまたは複数の）レベルを持つ最高から最低までからの以下のアクセスカテゴリ（ＡＣ）構造は、ＶＳ（音声／センサ）、ＶＩ（ビデオ）、ＢＢＥ（ベストエフォートよりも良い）、ＢＥ（ベストエフォート）を含むことができる。全体を通して組み合わせて提供されるＡＣ構造（たとえばＳＥ／ＶＯ／ＶＩ／ＢＥ）は、様々な実施形態によってＶＳ／ＶＩ／ＢＢＥ／ＢＥによって増加されてもよい。
【００１６】
[0016]分散型チャネルアクセスパラメータは、ＩＥＥＥ８０２．１１ａｈネットワークで使用するためのデフォルトパラメータとして利用され得る。たとえば、ＩＥＥＥ８０２．１１ａｈ準拠アクセスポイントは、分散型チャネルアクセスパラメータを記憶することができ、ステーションをワイヤレス接続するためにそのようなパラメータを通信することができる。その後、データトラフィックは、そのようなトラフィックのアクセスカテゴリに基づいて優先度が付けられる。たとえば、センサトラフィック（すなわち、センサアクセスカテゴリ（ＳＥ）を有する）は、他のタイプのトラフィックよりも高い優先度で送信され得る。
【００１７】
[0017]特定の一実施形態では、デバイス（たとえばアクセスポイント）は、プロセッサと、このプロセッサによってアクセス可能なメモリとを含む。このメモリは、１つまたは複数のアクセスカテゴリを指定するアクセスカテゴリデータを含む。この１つまたは複数のアクセスカテゴリは、ネットワークを介してセンサデータをワイヤレス通信するために１つまたは複数のステーションデバイスによって使用されるべき分散型チャネルアクセスパラメータを指定するセンサアクセスカテゴリを含む。メモリは、ステーションデバイスがセンサデータを通信することを可能にするようにステーションデバイスにアクセスカテゴリデータの少なくとも一部を送るようプロセッサによって実行可能な命令をさらに含む。
【００１８】
[0018]別の特定の実施形態では、デバイスは、プロセッサと、このプロセッサによってアクセス可能なメモリとを含む。このメモリは、１つまたは複数のアクセスカテゴリを指定するアクセスカテゴリデータを含む。１つまたは複数のアクセスカテゴリは、センサデータをワイヤレス通信するために使用されるべき分散型チャネルアクセスパラメータを指定するセンサアクセスカテゴリを含む。メモリは、センサアクセスカテゴリを使用してセンサデータをワイヤレス送信するようプロセッサによって実行可能な命令も含む。
【００１９】
[0019]別の特定の実施形態では、装置は、アクセスカテゴリデータを使用して、第１のデータのデータタイプに割り当てられたアクセスカテゴリに基づいて、第１のデータの送信のために使用されるべき分散型チャネルアクセスパラメータを決定するための手段を含む。このアクセスカテゴリデータは、センサデータをワイヤレス通信するために使用されるべきセンサデータ分散型チャネルアクセスパラメータ（sensor data distributed channel access parameters）を指定するセンサアクセスカテゴリを含む１つまたは複数のアクセスカテゴリを指定する。装置は、決定された分散型チャネルアクセスパラメータを使用して、第１のデータをワイヤレス送信するための手段も含む。
【００２０】
[0020]別の特定の実施形態では、方法は、送信されるべき第１のデータのデータタイプを決定することを含む。この方法は、アクセスカテゴリデータを使用して、第１のデータのデータタイプに割り当てられたアクセスカテゴリに基づいて、第１のデータの送信のために使用されるべき分散型チャネルアクセスパラメータを決定することも含む。アクセスカテゴリデータは、センサデータをワイヤレス通信するために使用されるべきセンサデータ分散型チャネルアクセスパラメータを指定するセンサアクセスカテゴリを含む１つまたは複数のアクセスカテゴリを指定する。この方法は、決定された分散型チャネルアクセスパラメータを使用して、第１のデータをワイヤレス送信することをさらに含む。
【００２１】
[0021]別の特定の実施形態では、非一時的記憶媒体は、プロセッサ実行可能命令を含み、この命令は、プロセッサによって実行されるとき、このプロセッサに、送信されるべき第１のデータのデータタイプを決定させ、アクセスカテゴリデータを使用して、第１のデータのデータタイプに割り当てられたアクセスカテゴリに基づいて、第１のデータの送信のために使用されるべき分散型チャネルアクセスパラメータを決定させる。アクセスカテゴリデータは、センサデータをワイヤレス通信するために使用されるべきセンサデータ分散型チャネルアクセスパラメータを指定するセンサアクセスカテゴリを含む１つまたは複数のアクセスカテゴリを指定する。
【００２２】
[0022]本明細書で説明する実施形態のうち少なくとも１つによって提供される１つの利点としては、複数のアクセスカテゴリ（たとえば複数のトラフィックタイプ）間の媒体アクセス多様化（diversification）を維持しながらセンサトラフィック（たとえば、低いデューティサイクルに関連付けられたデータトラフィック）を考慮した分散型アクセスパラメータがある。本明細書で説明する実施形態のうち少なくとも１つによって提供される別の利点としては、複数のアクセスカテゴリ（ＡＣ）間の媒体アクセス多様化を可能にする分散型チャネルアクセスパラメータがある。本明細書で説明する実施形態のうち少なくとも１つによって提供されるさらなる特定の利点としては、エネルギーにより制約されるデバイス（たとえば、センサトラフィックを送信するデバイスなどの、バッテリ電源を使用して動作するデバイス）のパワーを温存する分散型チャネルアクセスパラメータがある。
【００２３】
[0023]本開示の他の態様、利点、および特徴は、以下の「図面の簡単な説明」、「詳細な説明」、および「特許請求の範囲」の各セクションを含む適用例全体の検討の後で明らかになるであろう。
【図面の簡単な説明】
【００２４】
【図１】[0024]分散型チャネルアクセスパラメータを使用して通信するように動作可能なシステムの特定の一実施形態の図。
【図２Ａ】[0025]図１のシステムに関連付けられた制御データにアクセスするために使用されるデータ構造の特定の実施形態を示す図。
【図２Ｂ】図１のシステムに関連付けられた制御データにアクセスするために使用されるデータ構造の特定の実施形態を示す図。
【図２Ｃ】図１のシステムに関連付けられた制御データにアクセスするために使用されるデータ構造の特定の実施形態を示す図。
【図２Ｄ】図１のシステムに関連付けられた制御データにアクセスするために使用されるデータ構造の特定の実施形態を示す図。
【図２Ｅ】図１のシステムに関連付けられた制御データにアクセスするために使用されるデータ構造の特定の実施形態を示す図。
【図２Ｆ】図１のシステムに関連付けられた制御データにアクセスするために使用されるデータ構造の特定の実施形態を示す図。
【図３Ａ】[0026]種々の分散型チャネルアクセスパラメータに応じたデータ送信のシミュレーションの結果を示すグラフ。
【図３Ｂ】種々の分散型チャネルアクセスパラメータに応じたデータ送信のシミュレーションの結果を示すグラフ。
【図４】[0027]種々の分散型チャネルアクセスパラメータに応じたデータ送信のシミュレーションの特定の結果を示すグラフ。
【図５Ａ】[0028]種々の分散型チャネルアクセスパラメータに応じたデータ送信のシミュレーションの結果を示すグラフ。
【図５Ｂ】種々の分散型チャネルアクセスパラメータに応じたデータ送信のシミュレーションの結果を示すグラフ。
【図６】[0029]分散型チャネルアクセスパラメータを使用して通信するように動作可能なシステムの特定の一実施形態の図。
【図７】[0030]分散型チャネルアクセスパラメータを使用した通信を実行する方法の特定の一実施形態の流れ図。
【図８】[0031]分散型アクセスパラメータを転送する方法の特定の一実施形態の流れ図。
【図９】[0032]レート制御と電力制御とを実行するように動作可能なワイヤレスデバイスの特定の一実施形態のブロック図。
【図１０】[0033]拡張分散型チャネルアクセス（ＥＤＣＡ：enhanced distributed channel access）パラメータセット情報要素（ＩＥ）の特定の例示的な実施形態の図。
【詳細な説明】
【００２５】
[0034]図１を参照すると、分散型チャネルアクセスパラメータに応じて通信するように動作可能なシステムの特定の一実施形態の図が開示されており、１００と全体的に指定されている。システム１００は、アクセスデバイス１０２と、ネットワーク１５０を介してアクセスデバイス１０２と通信する１４０〜１４６、１つまたは複数のステーション（ＳＴＡ）デバイス１２０〜１２６とを含むことができる。
【００２６】
[0035]アクセスデバイス１０２は、分散型チャネルアクセスパラメータを含むアクセス制御データ１１０を含むことができる。アクセス制御データ１１０は、１つまたは複数のアクセスカテゴリの各々のための分散型チャネルアクセスパラメータを指定することによって、１つまたは複数のアクセスカテゴリを定義することができる。アクセスデバイス１０２は、ネットワーク１５０を介してステーションデバイス１２０〜１２６のうち少なくとも１つに結合され得る。特定の一実施形態では、アクセスデバイス１０２は、ワイヤレスアクセスポイント（ＡＰ）であってもよい。
【００２７】
[0036]アクセスデバイス１０２は、ステーションデバイス１２０〜１２６のうち少なくとも１つとの通信を容易にするように動作可能な、アクセスポイント、ワイヤレスゲートウェイ、ワイヤレスルータ、カスタマー構内（premise）設備（ＣＰＥ）デバイス、または別のデバイスであってもよい。アクセスデバイス１０２は、図６に関して本明細書で説明するように、１つまたは複数のプロセッサと、１つまたは複数のメモリとを含むことができる。たとえば、アクセスデバイス１０２は、本明細書で説明するように、アクセス制御データ１１０と、ステーションデバイス１２０〜１２６のうち少なくとも１つにアクセス制御データ１１０の少なくとも一部を送信することを含むアクセスデバイス１０２の様々な機能を実行する（１つまたは複数の）プロセッサによって実行可能な命令とを記憶するメモリを含むことができる。
【００２８】
[0037]ステーション（ＳＴＡ）デバイス１２０〜１２６の各々は、対応するアクセス制御データ１３０〜１３６を含むことができる。アクセス制御データ１３０〜１３６は、各々が分散型チャネルアクセスパラメータを指定する１つまたは複数のアクセスカテゴリを指定することができる。ステーションデバイス１２０〜１２６の各々のアクセス制御データ１３０〜１３６は、同じアクセス制御データであっても、または異なるアクセス制御データであってもよい。アクセスデバイス１０２のアクセス制御データ１１０および特定のステーションデバイス１２０〜１２６のアクセス制御データ１３０〜１３６は、同じアクセス制御データであっても、または異なるアクセス制御データであってもよい。
【００２９】
[0038]ネットワーク１５０は、アクセスデバイス１０２によって確立されたワイヤレスネットワーク（たとえば、米国電気電子学会（ＩＥＥＥ）８０２．１１ａｈ準拠ワイヤレスネットワーク）であってもよい。特定の一実施形態では、ネットワーク１５０は、アクセスデバイス１０２によってサポートされてもよい。
【００３０】
[0039]ステーションデバイス１２０〜１２６は各々、アクセスデバイス１０２とワイヤレス通信するように動作可能であり得る。たとえば、ステーションデバイス１２０〜１２６は、ラップトップコンピュータ（たとえば、ＩＥＥＥ８０２．１１ワイヤレスカードを備えた）、セットトップボックス（たとえば、ワイヤレスセットトップボックス）、パーソナルコンピュータ、タブレットコンピュータ、携帯情報端末（ＰＤＡ）、ＣＰＥデバイス、マルチメディアデバイス、ゲームコンソール、センサ、またはモバイル電話であってもよい。
【００３１】
[0040]動作中、アクセスデバイス１０２は、接続ルーチン（たとえば、ＩＥＥＥ８０２．１１ａｈ準拠接続ルーチン）を使用して、１つまたは複数のステーションデバイス１２０〜１２６との通信を確立することができる。アクセスデバイス１０２に接続されると、ステーションデバイス１２０〜１２６は各々、各デバイス１２０〜１２６に記憶されたアクセス制御データ１３０〜１３６に少なくとも部分的に基づいて、ネットワーク１５０を介してアクセスデバイス１０２にデータを送信することができる。このデータとしては、センサデータ、バックグラウンドデータ、ベストエフォートデータ、およびオーディオデータ（たとえば音声データ）とビデオデータとを含む媒体データがあり得る。データの１つのタイプは、ステーションのタイプに基づいてあらかじめ決定されても、またはステーション上で実行されるアプリケーションによって決定されてもよい。
【００３２】
[0041]たとえば、ステーションデバイス１２０は、１つまたは複数のアクセスカテゴリを定義するアクセス制御データ１３０を含むことができる。アクセス制御データ１３０の１つまたは複数のアクセスカテゴリは、ネットワーク１５０を介してセンサデータをワイヤレス通信する１４０ためにステーションデバイス１２０によって使用されるべき分散型チャネルアクセスパラメータを指定するセンサアクセスカテゴリを含むことができる。１つまたは複数のアクセスカテゴリは、ネットワーク１５０を介して媒体データをワイヤレス通信する１４０ためにステーションデバイス１２０によって使用されるべき分散型チャネルアクセスパラメータを指定する少なくとも１つの媒体アクセスカテゴリを含むことができる。
【００３３】
[0042]一実施形態では、種々のデバイスは、デバイス、デバイスタイプ（たとえば、センサ、非センサ（non-sensor）、バッテリ式（battery operated）、電源式（mains operated）など）、特定のグループの一員（membership）であること、トラフィックのタイプ、または他の基準に基づいて、種々のアクセス制御データを使用することができる。特定の一実施形態では、各デバイスタイプまたはグループに関連付けられた（または他の基準に基づいた）アクセス制御データのデフォルト値は、業界標準（たとえば、ＩＥＥＥ８０２．１１ａｈ）で定義されてもよく、業界標準に準拠したすべてのデバイスによって知られ得る。たとえば、データを送信するデバイスが識別され得る。特定の一実施形態では、デバイスは、デバイス識別子（たとえば、国際モバイル加入者識別情報、国際モバイル機器識別情報、加入者識別モジュール識別子、メディアアクセス制御アドレス、電子シリアル番号、またはこれらの組合せ）、デバイスに関連付けられたネットワークアドレス、デバイスに関連付けられたローカル識別子、デバイスに関連付けられたネットワーク識別子、またはこれらの組合せに基づいて識別され得る。したがって、デフォルト値を使用されることができるとき、アクセス制御データは、ＡＰによってＳＴＡに通信される必要がないことがある。
【００３４】
[0043]一実施形態では、ステーションデバイス１２０は、関連付け／再関連付け中に（たとえば、関連付け／再関連付けの要求メッセージ内のデータとして）アクセスデバイス１０２にデバイスタイプ（たとえば、センサデバイス）および／または好ましいアクセス制御データを知らせることができる。アクセスデバイス１０２は、１つまたは複数の拡張分散型チャネルアクセス（ＥＤＣＡ）パラメータセット情報要素（ＩＥ）内にアクセス制御データを含むことによって、各ステーションデバイス１２０〜１２６、ステーションデバイス１２０〜１２６のグループ、またはステーションデバイス１２０〜１２６の１つまたは複数のタイプに、アクセス制御データを連続して知らせることができる。１つまたは複数のＥＤＣＡパラメータセットＩＥは、関連付け／再関連付け中に（たとえば、関連付け／再関連付けの応答メッセージ内のデータとして）送られても、またはビーコンフレーム（beacon frame）に含まれてもよい。一実施形態では、ＥＤＣＡパラメータセットＩＥは、ＩＥＥＥ８０２．１１規格で定義され得る。別の実施形態では、ＥＤＣＡパラメータセットＩＥは、ＳＴＡの各グループまたはＳＴＡの各タイプに対して１つまたは複数のアクセス制御データを付加することによって、ＩＥＥＥ８０２．１１規格で定義されたＥＤＣＡパラメータセットＩＥから拡張され得る。ＥＤＣＡパラメータセットＩＥの特定の一実施形態が図１０に示されている。
【００３５】
[0044]別の実施形態では、ＳＴＡの１つもしくは複数のグループまたはＳＴＡの１つもしくは複数のタイプに対するアクセス制御データ（またはアクセス制御データの一部）は、ＥＤＣＡパラメータセットＩＥに含まれる代わりに、ビーコンフレーム内の新しいフィールドとして含まれてもよい。
【００３６】
[0045]一実施形態では、ＩＥＥＥ８０２．１１規格で使用されるＥＤＣＡパラメータセットＩＥの１オクテットの予約済みフィールドは、このアクセス制御データによって指定されているアクセスパラメータに基づいて媒体にアクセスする予定であるＳＴＡのタイプまたはＳＴＡのグループを識別するために使用され得る。別の実施形態では、新しい情報要素は、ＳＴＡまたはＳＴＡのタイプまたはＳＴＡのグループの各々のうち１つまたは複数に対して、１つまたは複数のアクセス制御データを記憶するために定義され得る。これらのＥＤＣＡパラメータセットＩＥのうち１つまたは複数は、ビーコンに含まれても、または関連付け／再関連付け中に（たとえば、関連付け／再関連付けの応答メッセージ内に）送られてもよい。したがって、種々のＳＴＡ、ＳＴＡのグループ、またはＳＴＡのタイプは、各アクセスカテゴリに対して種々の分散型チャネルアクセスパラメータを有することができる。
【００３７】
[0046]一実施形態では、各ＳＴＡ、ＳＴＡのグループ、またはＳＴＡのタイプは、時間の所与の間隔内にアクセス制御データパラメータを使用することができる。一実施形態では、各ＳＴＡ、ＳＴＡのグループ、またはＳＴＡのタイプに対して設定されるアクセス制御データが使用可能な時間の間隔は、ビーコン内に示されても、関連付け中に示されても、もしくは複数のビーコンとしてあらかじめ定義されても、またはアップリンクアクセスが付与される時間の間隔に制限されてもよい。
【００３８】
[0047]別の実施形態では、ＳＴＡの特定のタイプは、アクセスカテゴリのうちいくつかまたはすべてに関して同じアクセスパラメータを有することができる。一例として、タイプがセンサのＳＴＡは、ＡＣ＿ＶＯ、ＡＣ＿ＶＩ、ＡＣ＿ＢＥ、およびＡＣ＿ＢＫからのアクセスパラメータを、同じ値に設定させることができる。
【００３９】
[0048]別の特定の実施形態では、すべてのユーザ優先度（ＵＰ）に対するすべてのトラフィックは、同じ送信パラメータで送られ得る。その上、種々のＵＰからのトラフィックは、同じ物理層プロトコルデータユニット（ＰＰＤＵ）で送られ得る。さらに、種々のＵＰからのトラフィックは、共通のシーケンス番号空間を使用することができる。これは既存の仕様と異なってもよく、各トラフィック識別子（ＴＩＤ）／ＵＰは異なるシーケンス番号空間を使用することに留意されたい。異なるＴＩＤ／ＵＰに対する共通シーケンス番号空間の使用は、受信機と一致すると、ＳＴＡの特定のタイプによって使用され得る。この一致は、関連付けの要求／応答における関連付け手順によって示されても、または後で、ブロック追加肯定応答（ＡＤＤＢＡ：add block acknowledgement）手順またはトラフィック仕様（ＴＳＰＥＣ）手順の変形などの専用管理交換によって示されてもよい。複数のＴＩＤ／ＵＰのトラフィック全体にわたる共通シーケンス空間の使用は、各パケット（たとえば、送信される複数のパケットのうち各パケット）で示され得る。パケットヘッダ内の１ビットは、パケットのメディアアクセス制御（ＭＡＣ）サービスデータユニット（ＭＳＤＵ）が、ＭＳＤＵの各々のＴＩＤ／ＵＰには関係なく、同じ空間からのシーケンス番号を有することを示すことができる。これによって、単一の正常なブロック肯定応答（ＡＣＫ）の使用により、複数のＴＩＤ／ＵＰからのＭＳＤＵに肯定応答することが可能になる。
【００４０】
[0049]別の特定の実施形態では、ステーションデバイス１２０は、ベストエフォートデータおよび／またはバックグラウンドデータをワイヤレス通信する１４０ためにステーションデバイス１２０によって使用されるべき分散型チャネルアクセスパラメータを指定する特定のアクセスカテゴリを有するアクセス制御データ１３０を含むことができる。たとえば、１つまたは複数のアクセスカテゴリは、ベストエフォートデータおよびバックグラウンドデータの送信のための単一アクセスカテゴリを含むことができる。特定の一実施形態では、ステーションデバイス１２０は、ベストエフォートデータまたはバックグラウンドデータをワイヤレス通信する１４０ことができる。
【００４１】
[0050]特定の一実施形態では、アクセスカテゴリデータは、センサアクセスカテゴリが他のアクセスカテゴリよりも高い優先度を有することを示すことができる。たとえば、アクセスカテゴリデータは、センサアクセスカテゴリ、媒体アクセスカテゴリ、音声アクセスカテゴリ、ビデオアクセスカテゴリ、バックグラウンドアクセスカテゴリ、またはこれらの組合せを指定することができる。センサアクセスカテゴリは、媒体アクセスカテゴリ、ビデオアクセスカテゴリ、音声アクセスカテゴリ、バックグラウンドアクセスカテゴリ、またはこれらの組合せよりも高い優先度を有することができる。説明するために、センサアクセスカテゴリに関連付けられた調停フレーム内間隔数（ＡＩＦＳＮ）値は、他のアクセスカテゴリのうち１つまたは複数に関連付けられたＡＩＦＳＮ値よりも小さくてもよい。
【００４２】
[0051]特定の一実施形態では、チャネルアクセスパラメータは、各ＳＴＡに対して個別に、またはＳＴＡのグループに対して、この指示はビーコンで通知される基本値のセットに対するデルタと表されるように示される。ビーコンで通知されるデルタを使用することによって、ＡＰは、ビーコン内の基本パラメータを変更することによってすべてのＳＴＡまたはＳＴＡのグループに対するパラメータを修正することを可能にすることができる。特定の一実施形態では、ビーコンで通知されるデルタを使用することによって、ＡＰは、ビーコン内の基本パラメータを変更することによってすべてのＳＴＡまたはＳＴＡのグループに対するパラメータを直ちに（たとえば同時に）修正することを可能にすることができる。たとえば、ＣＷｍｉｎの基本値は、１５に等しくてもよく、ＳＴＡ固有デルタは、２に等しくてもよく、これらは、そのＳＴＡにおけるＣＷｍｉｎは、（（１５＋１）＊２−１）＝３１であることを示す。同様に、基本ＴＸＯＰ限度は、１ミリ秒（ｍｓ）に等しくてもよく、ＳＴＡ固有デルタは、２に等しくてもよく、これらは、そのＳＴＡにおけるＴＸＯＰ限度は、（１ｍｓ＊２）＝２ｍｓに等しいことを示す。基本値およびＳＴＡ固有またはグループ固有のデルタ値を使用することによって、チャネルアクセスパラメータに関連付けられたオーバーヘッドが減少することができる。たとえば、複数のＳＴＡの各々または複数のＳＴＡのグループの各々に変更されたパラメータ値を通信する代わりに、ＡＰは、基本値をいったん変更し、その変更をビーコンでブロードキャストすることができる。
【００４３】
[0052]したがって、図１のシステム１００は、センサデータを送信するステーションがより高い優先度を有することを可能にし、そのセンサデータが伝送媒体へのアクセスに好ましいことを可能にすることができる。センサは、電力により制約される（たとえば、低電力、バッテリ式デバイス）ことがあるので、センサは、伝送媒体へのアクセスを待機する追加エネルギーを消費することなくデータを送信することによって電力を節約する（たとえば、温存する）ことを可能にすることができる。
【００４４】
[0053]図２Ａ〜図２Ｆは、図１のアクセスデバイス１０２のアクセス制御データ１１０および／または特定のステーションデバイス１２０〜１２６のアクセス制御データ１３０〜１３６などのアクセス制御データを維持するために使用され得るデータ構造２００、２２０、２４０、２６０、２８０、および２９０の特定の実施形態の図である。データ構造２００、２２０、２４０、２６０、２８０、および２９０の各データ構造は、別のデータ構造２００、２２０、２４０、２６０、２８０、および２９０の少なくとも一部ならびに／または他のデータ構造２００、２２０、２４０、２６０、２８０、および２９０のうち１つからの対応する値を含むことができる。データ構造２００、２２０、２４０、２６０、２８０、および２９０の各々は、複数のアクセスカテゴリ（ＡＣ）間での媒体アクセス多様化を可能にするために、アクセスデバイス１０２またはステーションデバイス１２０〜１２６によって利用され得る。
【００４５】
[0054]図２Ａのデータ構造２００は、アクセス制御データを表す特定の一実施形態を示す。データ構造２００は、アクセスカテゴリフィールド２０２、最小コンテンションウィンドウ（ＣＷｍｉｎ）フィールド２０４、最大コンテンションウィンドウ（ＣＷｍａｘ）フィールド２０６、および調停フレーム内間隔数（ＡＩＦＳＮ）フィールド２０８などの複数のフィールドを含むことができる。特定の一実施形態では、ＣＷｍｉｎフィールド２０４およびＣＷｍａｘフィールド２０６に関連付けられた値はタイムスロット値である。
【００４６】
[0055]図２Ａに示されるように、アクセスカテゴリ２０２は、１つまたは複数のアクセスカテゴリ２１６〜２１９などの複数のエントリを含むことができる。１つまたは複数のアクセスカテゴリ２１６〜２１９は、ベストエフォートカテゴリ２１６、ビデオカテゴリ２１７、音声カテゴリ２１８、センサカテゴリ２１９、バックグラウンドカテゴリ（図示せず）、またはこれらのカテゴリの任意の組合せを含むことができる。特定の一実施形態では、ベストエフォートカテゴリ２１６はバックグラウンドカテゴリを含むことができる。
【００４７】
[0056]アクセスカテゴリ２１６〜２１９の各々は、対応する最小コンテンションウィンドウ値と、対応する最大コンテンションウィンドウ値と、対応する調停フレーム内間隔数（ＡＩＦＳＮ）値とを含むことができる。たとえば、センサアクセスカテゴリ２１９は、７という最小コンテンションウィンドウ値と、３１という最大コンテンションウィンドウ値と、２というＡＩＦＳＮ値とを示すことができる。さらに、データ構造２００のアクセスカテゴリデータは、１５という最小コンテンションウィンドウ値と、３１という最大コンテンションウィンドウ値と、４というＡＩＦＳＮ値とを有する音声アクセスカテゴリ２１８を指定することができる。データ構造２００のアクセスカテゴリデータはまた、１５という最小コンテンションウィンドウ値と、３１という最大コンテンションウィンドウ値と、５というＡＩＦＳＮ値とを有するビデオアクセスカテゴリ２１７を指定することができる。さらに、データ構造２００のアクセスカテゴリデータは、３１という最小コンテンションウィンドウ値と、１０２３という最大コンテンションウィンドウ値と、７というＡＩＦＳＮ値とを有するベストエフォートアクセスカテゴリ２１６を指定することができる。
【００４８】
[0057]図２Ｂのデータ構造２２０は、アクセス制御データを表す別の特定の実施形態を示す。データ構造２２０は、アクセスカテゴリフィールド２２２、最小コンテンションウィンドウ（ＣＷｍｉｎ）フィールド２２４、最大コンテンションウィンドウ（ＣＷｍａｘ）フィールド２２６、調停フレーム内間隔数（ＡＩＦＳＮ）フィールド２２８、伝送機会（ＴＸＯＰ）フィールド２３０、またはこれらのフィールドの任意の組合せなどの複数のフィールドを含むことができる。ＴＸＯＰフィールド２３０は、第１のＴＸＯＰオプション２３２および第２のＴＸＯＰオプション２３４などの１つまたは複数のオプションを含むことができる。第１のＴＸＯＰオプション２３２および第２のＴＸＯＰオプション２３４は、図１のアクセスデバイス１０２またはステーションデバイス１２０〜１２６などのデバイスが動作し得る２つの別個の選択可能なオプションに関連付けられる。
【００４９】
[0058]図２Ｂに示されるように、アクセスカテゴリフィールド２２２は、１つまたは複数のアクセスカテゴリ２３６〜２３９などの複数のエントリを含むことができる。たとえば、アクセスカテゴリ２３６〜２３９は、ベストエフォートカテゴリ２３６と、ビデオカテゴリ２３７と、音声カテゴリ２３８と、センサカテゴリ２３９とを含むことができる。
【００５０】
[0059]アクセスカテゴリ２３６〜２３９の各々は、対応する最小コンテンションウィンドウ値と、対応する最大コンテンションウィンドウ値と、対応する調停フレーム内間隔数（ＡＩＦＳＮ）値とを含むことができる。たとえば、センサアクセスカテゴリ２３９は、７という最小コンテンションウィンドウ値と、１５という最大コンテンションウィンドウ値と、２というＡＩＦＳＮ値とを示すことができる。さらに、データ構造２００のアクセスカテゴリデータは、７という最小コンテンションウィンドウ値と、３１という最大コンテンションウィンドウ値と、４というＡＩＦＳＮ値とを有する音声アクセスカテゴリ２１８を指定することができる。データ構造２００のアクセスカテゴリデータはまた、１５という最小コンテンションウィンドウ値と、３１という最大コンテンションウィンドウ値と、５というＡＩＦＳＮ値とを有するビデオアクセスカテゴリ２１７を指定することができる。さらに、データ構造２００のアクセスカテゴリデータは、３１という最小コンテンションウィンドウ値と、１０２３という最大コンテンションウィンドウ値と、７というＡＩＦＳＮ値とを有するベストエフォートアクセスカテゴリ２１６を指定することができる。
【００５１】
[0060]アクセスカテゴリ２３６〜２３９の各々は、第１のＴＸＯＰオプション２３２に対応する第１のＴＸＯＰ値または第２のＴＸＯＰオプション２３４に対応する第２のＴＸＯＰ値などの少なくとも１つの対応するＴＸＯＰ値も含むことができる。デバイスが、第１のＴＸＯＰオプション２３２に関連付けられた第１のＴＸＯＰオプションで動作しているとき、アクセスカテゴリの各々は、第１のＴＸＯＰオプション２３２の第１のＴＸＯＰ値に応じて動作する。たとえば、第１のＴＸＯＰオプションで動作しているとき、センサアクセスカテゴリ２３９は、第１のＴＸＯＰ値がおよそ（たとえば、±２０％）１５．６ミリ秒であることを示す。さらに、第１のＴＸＯＰオプションで動作しているとき、音声アクセスカテゴリ２３８は、第１のＴＸＯＰ値がおよそ（たとえば、±２０％）１５．０４ミリ秒であることを示し、ビデオアクセスカテゴリ２３７は、第１のＴＸＯＰ値がおよそ（たとえば、±２０％）２０ミリ秒であることを示し、ベストエフォートアクセスカテゴリ２３６は、第１のＴＸＯＰ値がゼロ（０）であることを示す。
【００５２】
[0061]デバイスが、第２のＴＸＯＰオプション２３４に関連付けられた第２のＴＸＯＰオプションにおいて動作しているとき、アクセスカテゴリの各々は、第２のＴＸＯＰオプション２３４の第２のＴＸＯＰ値に応じて動作する。たとえば、第２のＴＸＯＰオプションで動作しているとき、センサアクセスカテゴリ２３９は、第１のＴＸＯＰ値がゼロ（０）であることを示す。さらに、第２のＴＸＯＰオプションで動作しているとき、音声アクセスカテゴリ２３８は、第２のＴＸＯＰ値がおよそ（たとえば、±２０％）１．５０４ミリ秒であることを示し、ビデオアクセスカテゴリ２３７は、第２のＴＸＯＰ値がおよそ（たとえば、±２０％）３．０８ミリ秒であることを示し、ベストエフォートアクセスカテゴリ２３６は、第２のＴＸＯＰ値がゼロ（０）であることを示す。
【００５３】
[0062]図２Ｃおよび図２Ｄは、アクセスカテゴリ（ＡＣ）へのユーザ優先度（ＵＰ）のマッピングを示すことができるデータ構造２４０および２６０の代替実施形態を示す。図２Ｃのデータ構造２４０は、５つのアクセスカテゴリが定義された、アクセスカテゴリ（ＡＣ）へのユーザ優先度（ＵＰ）のマッピングに関連付けられたアクセス制御データを表す特定の一実施形態を示す。データ構造２４０は、ユーザ優先度（ＵＰ）フィールド２４４およびアクセスカテゴリ（ＡＣ）フィールド２４６などの複数のフィールドを含むことができる。
【００５４】
[0063]図２Ｃに示されるように、アクセスカテゴリ２４６は、１つまたは複数のアクセスカテゴリ２５０〜２５８などの複数のエントリを含むことができる。アクセスカテゴリ２５０〜２５８は、バックグラウンドカテゴリ２５０と、ベストエフォートカテゴリ２５２と、ビデオカテゴリ２５４と、音声カテゴリ２５６と、センサカテゴリ２５８とを含むことができる。ユーザ優先度（ＵＰ）フィールド２４４は、特定のタイプのデータに関連付けられた優先度を指定する複数の値を含むことができる。アクセスカテゴリの各々は、少なくとも１つのユーザ優先度（ＵＰ）値に対応することができる。たとえば、アクセスカテゴリ２５０〜２５８は、図２Ｃに示されるように、ユーザ優先度（ＵＰ）値に対応することができる。
【００５５】
[0064]図２Ｄのデータ構造２６０は、４つのアクセスカテゴリが定義された、アクセスカテゴリ（ＡＣ）へのユーザ優先度（ＵＰ）のマッピングに関連付けられたアクセス制御データを表す別の特定の実施形態を示す。データ構造２６０は、ユーザ優先度（ＵＰ）フィールド２６４およびアクセスカテゴリ（ＡＣ）フィールド２６６などの複数のフィールドを含むことができる。
【００５６】
[0065]図２Ｄに示されるように、アクセスカテゴリフィールド２６６は、１つまたは複数のアクセスカテゴリ２６８〜２７４などの複数のエントリを含むことができる。アクセスカテゴリ２６８〜２７４は、ベストエフォートカテゴリ２６８と、ビデオカテゴリ２７０と、音声カテゴリ２７２と、センサカテゴリ２７４とを含むことができる。特定の一実施形態では、ベストエフォートカテゴリ２６８はバックグラウンドカテゴリを含むことができる。たとえば、１つまたは複数のアクセスカテゴリ２６８〜２７４は、ベストエフォートデータおよびバックグラウンドデータの送信において使用するために、ベストエフォートカテゴリ２６８などの単一アクセスカテゴリを含むことができる。
【００５７】
[0066]ユーザ優先度（ＵＰ）フィールド２６４は、様々なデータタイプの優先度を指定する複数の値を含むことができる。アクセスカテゴリの各々は、少なくとも１つのユーザ優先度（ＵＰ）値に対応することができる。たとえば、アクセスカテゴリ２６８〜２７４は、図２Ｄに示されるように、ユーザ優先度（ＵＰ）値に対応することができる。
【００５８】
[0067]図２Ｅのデータ構造２８０は、４つのアクセスカテゴリが定義された、アクセスカテゴリ（ＡＣ）へのユーザ優先度（ＵＰ）のマッピングに関連付けられたアクセス制御データを表す別の特定の実施形態を示す。データ構造２８０は、優先度ランキングフィールド２８１、ユーザ優先度（ＵＰ）フィールド２８２、アクセスカテゴリ（ＡＣ）フィールド２８３、および指定フィールド２８４などの複数のフィールドを含むことができる。
【００５９】
[0068]図２Ｅに示されるように、アクセスカテゴリフィールド２８３は、１つまたは複数のアクセスカテゴリ２８５〜２８８などの複数のエントリを含むことができる。アクセスカテゴリ２８５〜２８８は、ベストエフォートカテゴリ（ＡＣ＿ＢＥ）２８５と、ビデオカテゴリ（ＡＣ＿ＶＩ）２８６と、音声カテゴリ（ＡＣ＿ＶＯ）２８７と、センサカテゴリ（ＡＣ＿ＳＥ）２８８とを含むことができる。特定の一実施形態では、ベストエフォートカテゴリ（ＡＣ＿ＢＥ）２８５はバックグラウンドカテゴリを含むことができる。たとえば、１つまたは複数のアクセスカテゴリ２８５〜２８８は、ベストエフォートデータおよびバックグラウンドデータの送信において使用するために、ベストエフォートカテゴリ（ＡＣ＿ＢＥ）２８５などの単一アクセスカテゴリを含むことができる。
【００６０】
[0069]ユーザ優先度（ＵＰ）フィールド２８２は、様々なデータタイプの優先度を指定する複数の値を含むことができる。アクセスカテゴリ２８５〜２８８の各々は、少なくとも１つのユーザ優先度（ＵＰ）値に対応することができる。たとえば、ベストエフォートアクセスカテゴリ（ＡＣ＿ＢＥ）２８５は、１、２、ゼロ（０）、および３というユーザ優先度（ＵＰ）値に対応することができる。ビデオカテゴリ（ＡＣ＿ＶＩ）２８６は、４および５というユーザ優先度（ＵＰ）値に対応することができる。音声カテゴリ（ＡＣ＿ＶＯ）２８７は６というユーザ優先度（ＵＰ）値に対応することができ、センサカテゴリ（ＡＣ＿ＳＥ）２８８は７というユーザ優先度（ＵＰ）値に対応することができる。
【００６１】
[0070]図２Ｆのデータ構造２９０は、バックグラウンドデータおよびベストエフォートデータに対する別個のカテゴリを含む５つのアクセスカテゴリが定義された、アクセスカテゴリ（ＡＣ）へのユーザ優先度（ＵＰ）のマッピングに関連付けられたアクセス制御データを表す別の特定の実施形態を示す。データ構造２９０は、優先度ランキングフィールド２９１、ユーザ優先度（ＵＰ）フィールド２９２、アクセスカテゴリ（ＡＣ）フィールド２９３、および指定フィールド２９４などの複数のフィールドを含むことができる。
【００６２】
[0071]図２Ｆに示されるように、アクセスカテゴリフィールド２９３は、１つまたは複数のアクセスカテゴリ２９５〜２９９などの複数のエントリを含むことができる。アクセスカテゴリ２９５〜２９９は、バックグラウンドカテゴリ（ＡＣ＿ＢＫ）２９５と、ベストエフォートカテゴリ（ＡＣ＿ＢＥ）２９６と、ビデオカテゴリ（ＡＣ＿ＶＩ）２９７と、音声カテゴリ（ＡＣ＿ＶＯ）２９８と、センサカテゴリ（ＡＣ＿ＳＥ）２９９とを含むことができる。ベストエフォートカテゴリ（ＡＣ＿ＢＥ）２９６はベストエフォートデータの送信のために使用されてもよく、バックグラウンドカテゴリ（ＡＣ＿ＢＫ）２９５はバックグラウンドデータの送信のために使用されてもよい。
【００６３】
[0072]ユーザ優先度（ＵＰ）フィールド２９２は、様々なデータタイプの優先度を指定する複数の値を含むことができる。アクセスカテゴリ２９５〜２９９の各々は、少なくとも１つのユーザ優先度（ＵＰ）値に対応することができる。たとえば、バックグラウンドアクセスカテゴリ（ＡＣ＿ＢＫ）２９５は、１および２というユーザ優先度（ＵＰ）値に対応することができる。ベストエフォートアクセスカテゴリ（ＡＣ＿ＢＥ）２９６は、ゼロ（０）および３というユーザ優先度（ＵＰ）値に対応することができる。ビデオカテゴリ（ＡＣ＿ＶＩ）２９７は、４および５というユーザ優先度（ＵＰ）値に対応することができる。音声カテゴリ（ＡＣ＿ＶＯ）２９８は６というユーザ優先度（ＵＰ）値に対応することができ、センサカテゴリ（ＡＣ＿ＳＥ）２９９は７というユーザ優先度（ＵＰ）値に対応することができる。
【００６４】
[0073]各データ構造２４０、２６０、２８０、および２９０は、図２Ａのデータ構造２００、図２Ｂのデータ構造２２０、またはこれらの組合せのいずれかと共に使用されてもよい。さらに、図２Ｃのアクセスカテゴリ２４６、図２Ｄのアクセスカテゴリ２６６、図２Ｅのアクセスカテゴリフィールド２８３、および図２Ｆのアクセスカテゴリフィールド２９３は、図２Ａのアクセスカテゴリ２０２および／または図２Ｂのアクセスカテゴリ２２２に対応することができる。データ構造２００、２２０、２４０、２６０、２８０、および２９０のうち１つまたは複数は、アクセスデバイス１０２のメモリおよび／またはステーションデバイス１２０〜１２６のメモリに記憶されてもよい。
【００６５】
[0074]図３Ａ、図３Ｂ、図４、図５Ａ、および図５Ｂは、本明細書で開示される様々な実施形態による分散型チャネルアクセスパラメータを決定するために実行された複数のシミュレーションを表す様々な統計データを示す。複数のシミュレーションの各々のためのシミュレーション設定は、物理層（ＰＨＹ）／メディアアクセス制御（ＭＡＣ）パラメータと様々なトラフィックパターンを定義することを含んだ。具体的には、図３Ａ、図３Ｂ、図４、図５Ａ、および図５Ｂは、１００を超える試行にわたって収集されたデータを使用して生成され、各試行は１分という継続時間を有した。
【００６６】
[0075]定義されたＰＨＹ／ＭＡＣパラメータは、２メガヘルツ（ＭＨＺ）という帯域幅と、６００キロバイト毎秒（ｋｂｐｓ）に等しいＰＨＹレートと、２４０マイクロ秒（μｓ）というＰＨＹプリアンブル（６のシンボル）持続時間と、１０６マイクロ秒（μｓ）という短いフレーム間間隔（ＳＩＦＳ）持続時間と、４０マイクロ秒（μｓ）というスロット持続時間とを含んだ。定義されたＰＨＹ／ＭＡＣパラメータは、１２バイトの圧縮されたＭＡＣヘッダと、１４バイトの肯定応答ＡＣＫと、およそ（たとえば、±２０％）３６．７ミリワット（ｍＷ）の送信電力と、およそ（たとえば、±２０％）１１．４ミリワット（ｍＷ）の受信電力とをさらに含んだ。
【００６７】
[0076]定義されたトラフィックパターンは、２５６バイトパケットで完全にバッファリングされた音声トラフィックと、１０００バイトパケットで完全にバッファリングされたビデオトラフィックと、１６０バイトパケットにおけるデューティサイクル（１パケット毎秒（ｐｋｔ／ｓ））であるセンサトラフィックとを含んだ。
【００６８】
[0077]第１のシナリオでは、図３Ａのグラフ３００、図３Ｂのグラフ３２０、および図４のグラフ４００は、音声トラフィックとセンサトラフィックの共存を判断するために生成された。第１のシナリオは完全にバッファリングされた音声トラフィックを含み、第１のステーションデバイスは１６０バイトのパケットを生成し、これはおよそ（たとえば、±２０％）２．６ミリ秒（ｍｓ）という送信（ＴＸ）持続時間に相当する。第１のシナリオは、すべてのセンサが１パケット毎秒というデューティサイクルにより送信される、センサトラフィックも含み、すべてのステーションデバイスは２５６バイトのパケットを生成し、これは、およそ（たとえば、±２０％）３．８ミリ秒（ｍｓ）という送信（ＴＸ）持続時間に相当し、１秒ごとにランダムな開始時間を有する。図３Ａのグラフ３００、図３Ｂのグラフ３２０、および図４のグラフ４００の各々にプロットされるラインは、センサトラフィック（たとえばセンサデータ）に関連付けられたセンサアクセスカテゴリ（ＳＥ）に対して、および音声トラフィック（たとえば音声データ）に関連付けられた音声アクセスカテゴリ（ＶＯ）に対して分散型チャネルアクセスパラメータが定義された場合に実行されたシミュレーションを表す。プロットされたラインの各々に対する感覚アクセスカテゴリ（ＳＥ）および音声アクセスカテゴリ（ＶＯ）に対する分散型チャネルアクセスパラメータの定義された値は、図３Ａのグラフ３００の凡例３０２、図３Ｂのグラフ３２０の凡例３２２、および図４のグラフ４００の凡例４０２に示され、特定のカテゴリに対する分散型アクセスパラメータは対応するカッコ「［  ］」間に列挙され、［「最小コンテンションウィンドウ（ＣＷｍｉｎ）値」、「最大コンテンションウィンドウ（ＣＷｍａｘ）値」、「調停フレーム内間隔数（ＡＩＦＳＮ）値」］を表す。
【００６９】
[0078]図３Ａは、複数のステーションデバイス（水平軸に沿って示される）とミリ秒（ｍｓ）単位のアクセス遅延（垂直軸に沿って示される）との間の関係に基づくセンサトラフィックのグラフ図であり、全体的に３００と指定される。アクセス遅延は、パケットの送信時間と待ち行列中パケットの可用性（packet-in-queue availability）との差と決定された。グラフ３００に示されるように、［７，３１，２］というセンサアクセスカテゴリ（ＳＥ）値と［１５，３１，４］という音声アクセスカテゴリ（ＶＯ）値の組合せは、センサに最小のアクセス遅延をもたらした。
【００７０】
[0079]図３Ｂは、複数のステーションデバイス（水平軸に沿って示される）とキロビット毎秒（ｋｂｐｓ）単位のビットレート（垂直軸に沿って示される）との間の関係に基づく音声トラフィックのグラフ図であり、全体的に３２０と指定される。グラフ３２０に示されるように、［７，１５，２］というセンサアクセスカテゴリ（ＳＥ）値と［７，３１，４］という音声アクセスカテゴリ（ＶＯ）値の組合せは、音声に最高のビットレートをもたらした。
【００７１】
[0080]図４は、複数のセンサデバイス（水平軸に沿って示される）とジュール（Ｊ）単位のセンサデバイスのエネルギー消費量（垂直軸に沿って示される）との間の関係に基づくセンサトラフィックのグラフ図であり、全体的に４００と指定される。エネルギー消費量は、パケットの送信と受信の両方において費やされた（たとえば、消費した）エネルギーの総量に関連していた。グラフ４００に示されるように、センサアクセスカテゴリ（ＳＥ）値と音声アクセスカテゴリ（ＶＯ）値の２つの組合せが、低いエネルギー消費量をもたらした。低いエネルギー消費量をもたらした第１の組合せは、［７，３１，２］というセンサアクセスカテゴリ（ＳＥ）値と、［１５，３１，４］という音声アクセスカテゴリ（ＶＯ）値であった。低いエネルギー消費量をもたらした第２の組合せは、［１５，３１，２］というセンサアクセスカテゴリ（ＳＥ）値と、［１５，３１，７］という音声アクセスカテゴリ（ＶＯ）値であった。
【００７２】
[0081]第１のシナリオの結果、センサトラフィックはより高い優先度を持ち、エネルギーにより制約されるべきであるので、［７，３１，２］というセンサアクセスカテゴリ（ＳＥ）値と［１５，３１，４］という音声アクセスカテゴリ（ＶＯ）値の組合せが好ましいと判断された。
【００７３】
[0082]第２のシナリオでは、図５Ａのグラフ５００および図５Ｂのグラフ５２０は、音声トラフィック（低いアクセス遅延が望ましい）とビデオトラフィック（高いビットレートが望ましい）の共存（coexistence）を判断するために生成された。第２のシナリオは、完全にバッファリングされた音声トラフィックと、１６０バイトのパケットを含み、これはおよそ（たとえば、±２０％）２．６ミリ秒（ｍｓ）という送信（ＴＸ）持続時間に相当する。第２のシナリオはまた、完全にバッファリングされたビデオトラフィックと、１５００バイトのパケットとを含み、これはおよそ（たとえば、±２０％）２０ミリ秒（ｍｓ）という送信（ＴＸ）持続時間に相当する。図５Ａのグラフ５００および図５Ｂのグラフ５２０の各々にプロットされるラインは、音声トラフィック（たとえば音声データ）に関連付けられた音声アクセスカテゴリ（ＶＯ）に対して、および音声トラフィック（たとえばビデオデータ）に関連付けられたビデオアクセスカテゴリ（ＶＩ）に対して分散型チャネルアクセスパラメータが定義された場合に実行されたシミュレーションを表す。プロットされたラインの各々に対する音声アクセスカテゴリ（ＶＯ）およびビデオアクセスカテゴリ（ＶＩ）に対する分散型チャネルアクセスパラメータの定義された値は、図５Ａのグラフ５００の凡例５０２および図５Ｂのグラフ５２０の凡例５２２に示され、特定のカテゴリに対する分散型アクセスパラメータは対応するカッコ「［  ］」間に列挙され、［「最小コンテンションウィンドウ（ＣＷｍｉｎ）値」、「最大コンテンションウィンドウ（ＣＷｍａｘ）値」、「調停フレーム内間隔数（ＡＩＦＳＮ）値」］を表す。音声トラフィックおよびビデオトラフィックの共存を判断するために、ビデオアクセスカテゴリ（ＶＩ）のＡＩＦＳＮ値は、図５Ａのグラフ５００および図５Ｂのグラフ５２０を生成するように変化させられた。
【００７４】
[0083]図５Ａは、音声トラフィックのＡＩＦＳＮ値（水平軸に沿って示される）とミリ秒（ｍｓ）単位のアクセス遅延（垂直軸に沿って示される）との間の関係に基づく音声トラフィックのアクセス遅延のグラフ図であり、全体的に５００と指定される。アクセス遅延は、パケットの送信時間と待ち行列中パケットの可用性との差に関連していた。グラフ５００に示されるように、［７，３１，２］というセンサアクセスカテゴリ（ＳＥ）値と［１５，３１，４］という音声アクセスカテゴリ（ＶＯ）値の組合せは、センサに最低アクセス遅延をもたらした。
【００７５】
[0084]図５Ｂは、音声トラフィックのＡＩＦＳＮ（水平軸に沿って示される）とキロビット毎秒（ｋｂｐｓ）単位のビットレート（垂直軸に沿って示される）との間の関係に基づくビデオトラフィックのビットレートのグラフ図であり、全体的に５２０と指定される。
【００７６】
[0085]ビデオトラフィックがより低いアクセス優先度を有するとき、音声トラフィックは最も良く実行した。したがって、第２のシナリオは、［１５，３１，５］というビデオアクセスカテゴリ（ＶＩ）値がビデオデータの送信に十分なビットレートを可能にすることを示した。さらに、第１のシナリオおよび第２のシナリオに基づいて、［７，３１，２］というセンサアクセスカテゴリ（ＳＥ）値と、［１５，３１，４］という音声アクセスカテゴリ（ＶＯ）値と、［１５，３１，５］というビデオアクセスカテゴリ（ＶＩ）値とを含む、分散型チャネルアクセスパラメータの組合せが決定された。
【００７７】
[0086]図６は、分散型チャネルアクセスパラメータを使用して通信するシステム６００の特定の一実施形態を示す図である。システム６００は、ネットワーク（図示せず）を介して１つまたは複数のステーションデバイス（たとえば、例示的なステーションデバイス６３０を含む）に通信可能に結合されたアクセスデバイス６１０を含むことができる。たとえば、ネットワークは図１のネットワーク１５０であってもよい。特定の一実施形態では、ネットワークは、アクセスデバイス６１０によって確立および／またはサポートされてもよい。
【００７８】
[0087]アクセスデバイス６１０はアクセスカテゴリデータ６２２を含むことができ、ステーションデバイス６３０はアクセスカテゴリデータ６４２を含むことができる。例示的な一実施形態では、アクセスカテゴリデータ６２２を有するアクセスデバイス６１０は、図１のアクセスデバイス１０２およびアクセス制御データ１１０であってもよい。さらに、アクセスカテゴリデータ６４２を有するステーションデバイス６３０は、図１の対応するアクセス制御データ１３０〜１３６を有するステーションデバイス１２０〜１２６のうち１つであってもよい。たとえば、ステーションデバイス６３０は図１のステーションデバイス１２０であってもよい。
【００７９】
[0088]アクセスデバイス６１０は、トランシーバ６１２と、アンテナ６１４と、プロセッサ６１６と、プロセッサ６１６にとってアクセス可能なメモリ６２０と、送信機会選択ロジック６２６とを含むことができる。メモリ６２０は、ネットワークを介したセンサデータのワイヤレス通信中に１つまたは複数のステーションデバイスが使用するための分散型チャネルアクセスパラメータを指定するセンサアクセスカテゴリを含む１つまたは複数のアクセスカテゴリを指定するアクセスカテゴリデータ６２２を含むことができる。メモリ６２０は、ステーションデバイス６３０がセンサデータを通信することができるようにステーションデバイス６３０にアクセスカテゴリデータ６２２の少なくとも一部を送るようプロセッサ６１６によって実行可能な命令６２４をさらに含むことができる。メモリ６２０は、ステーションデバイス６３０などの１つまたは複数のステーションデバイスとネットワークを確立するようプロセッサ６１６によって実行可能な命令６２４をさらに含むことができる。トランシーバ６１２は、アンテナ６１４を介してアクセスカテゴリデータ６２２などのデータを送信および受信するように動作可能であってもよい。たとえば、アクセスカテゴリデータ６２２は、図１のアクセス制御データ１１０および１３０〜１３６であっても、または図２Ａ〜図２Ｆのデータ構造２００、２２０、２４０、２６０、２８０、および２９０であってもよい。
【００８０】
[0089]特定の一実施形態では、アクセスカテゴリデータ６２２の１つまたは複数のアクセスカテゴリは、ネットワークを介して媒体データをワイヤレス通信するためにステーションデバイス６３０によって使用されるべき分散型チャネルアクセスパラメータを指定する少なくとも１つの媒体アクセスカテゴリを含むことができる。アクセスカテゴリデータ６２２は、センサデータに対してよりも低い優先度を、媒体データに対して指定することができる。たとえば、センサアクセスカテゴリは第１の調停フレーム内間隔数（ＡＩＦＳＮ）値を示すことができ、アクセスカテゴリデータ６２２は少なくとも１つの媒体アクセスカテゴリに対する第２のＡＩＦＳＮ値を含むことができ、第１のＡＩＦＳＮ値は第２のＡＩＦＳＮ値よりも低い。
【００８１】
[0090]別の特定の実施形態では、アクセスカテゴリデータ６２２の１つまたは複数のアクセスカテゴリは、ネットワークを介して音声データをワイヤレス通信するときステーションデバイス６３０によって使用されるべき分散型チャネルアクセスパラメータを指定する少なくとも１つの音声アクセスカテゴリを含むことができる。たとえば、アクセスカテゴリデータ６２２は、センサデータに対してよりも低い優先度を、音声データに対して指定することができる。
【００８２】
[0091]さらなる特定の一実施形態では、アクセスカテゴリデータ６２２の１つまたは複数のアクセスカテゴリは、ネットワークを介してビデオデータをワイヤレス通信するためにステーションデバイス６３０によって使用されるべき分散型チャネルアクセスパラメータを指定する少なくとも１つのビデオアクセスカテゴリを含むことができる。たとえば、アクセスカテゴリデータ６２２は、センサデータに対してよりも低い優先度を、ビデオデータに対して指定することができる。
【００８３】
[0092]送信機会選択ロジック６２６は、アクセスカテゴリデータ６２２に関連付けられた特定の送信機会オプションを選択するように動作可能であってもよい。たとえば、送信機会選択ロジック６２６は、図２Ｂのデータ構造２２０の第１のＴＸＯＰオプション２３２と第２のＴＸＯＰオプション２３４の間で選択するように動作可能であってもよい。
【００８４】
[0093]アクセスデバイス６１０の動作中に、プロセッサ６１６は、メモリ６２０に記憶された命令６２４に基づいて、（複数の）アプリケーションを実行することができる。プロセッサ６１６はまた、送信機会選択ロジック６２６に関連付けられた命令を実行するように動作可能であってもよい。
【００８５】
[0094]ステーションデバイス６３０は、トランシーバ６３２と、プロセッサ６３６と、プロセッサ６３６によってアクセス可能なメモリ６４０と、送信機会選択ロジック６３８とを含むことができる。トランシーバ６３２はアンテナ６３４に結合され得る。トランシーバ６３２は、アンテナ６３４を介してワイヤレス通信６５０に含まれるデータを送信および受信するように動作可能であってもよい。ステーションデバイス６３０は、低いデューティサイクルを有するＩＥＥＥ８０２．１１ａｈセンサまたは他のデバイスを含むことができ、別のＩＥＥＥ８０２．１１ａｈデバイスまたは別の非ＩＥＥＥ８０２．１１ａｈデバイスなどのアクセスデバイス６１０にデータを送信することができる。
【００８６】
[0095]メモリ６４０は、センサデータのワイヤレス通信中に使用されるべきセンサデータ分散型チャネルアクセスパラメータを指定するセンサアクセスカテゴリを含む１つまたは複数のアクセスカテゴリを指定するアクセスカテゴリデータ６４２を含むことができる。メモリ６４０はまた、センサアクセスカテゴリに関連付けられたアクセスパラメータに基づいてセンサデータをワイヤレス送信するようプロセッサ６３６によって実行可能な命令６４４も含むことができる。
【００８７】
[0096]特定の一実施形態では、１つまたは複数のアクセスカテゴリは、媒体データをワイヤレス通信するために使用されるべき分散型チャネルアクセスパラメータを指定する少なくとも１つの媒体アクセスカテゴリを含むことができる。たとえば、センサアクセスカテゴリは第１の調停フレーム内間隔数（ＡＩＦＳＮ）を示すことができ、アクセスカテゴリデータ６４２は少なくとも１つの媒体アクセスカテゴリに対する第２のＡＩＦＳＮを含むことができ、第１のＡＩＦＳＮは第２のＡＩＦＳＮよりも低い。
【００８８】
[0097]別の特定の実施形態では、１つまたは複数のアクセスカテゴリは、音声データをワイヤレス通信するために使用されるべき分散型チャネルアクセスパラメータを指定する少なくとも１つの音声アクセスカテゴリをさらに含むことができる。１つまたは複数のアクセスカテゴリは、ビデオデータをワイヤレス通信するために使用されるべき分散型チャネルアクセスパラメータを指定する少なくとも１つのビデオアクセスカテゴリをさらに含むことができる。
【００８９】
[0098]特定の一実施形態では、センサデータ分散型チャネルアクセスパラメータは、７という最小コンテンションウィンドウ値と、３１という最大コンテンションウィンドウ値と、２というＡＩＦＳＮ値とを含むことができる。１つまたは複数のアクセスカテゴリは、音声アクセスカテゴリと、ビデオアクセスカテゴリと、ベストエフォート／バックグラウンドアクセスカテゴリとをさらに含むことができる。音声アクセスカテゴリは、１５という最小コンテンションウィンドウ値と３１という最大コンテンションウィンドウ値と４というＡＩＦＳＮ値とを含む音声データ分散型チャネルアクセスパラメータを指定することができる。ビデオアクセスカテゴリは、１５という最小コンテンションウィンドウ値と３１という最大コンテンションウィンドウ値と５というＡＩＦＳＮ値とを含むビデオデータ分散型チャネルアクセスパラメータを指定することができる。ベストエフォート／バックグラウンドアクセスカテゴリは、３１という最小コンテンションウィンドウと１０２３という最大コンテンションウィンドウと７というＡＩＦＳＮ値とを含むベストエフォート／バックグラウンドデータ分散型チャネルアクセスパラメータを指定することができる。
【００９０】
[0099]さらに別の特定の実施形態では、センサデータ分散型チャネルアクセスパラメータは、７という最小コンテンションウィンドウ値と、１５という最大コンテンションウィンドウと、２というＡＩＦＳＮ値とを含むことができる。１つまたは複数のアクセスカテゴリは、１５（７）という最小コンテンションウィンドウ値と３１という最大コンテンションウィンドウ値と４というＡＩＦＳＮ値とを含むビデオデータ分散型チャネルアクセスパラメータを指定するビデオアクセスカテゴリをさらに含むことができる。
【００９１】
[00100]送信機会選択ロジック６３８は、アクセスカテゴリデータ６４２に関連付けられた特定の送信機会オプションを選択するように動作可能であってもよい。たとえば、送信機会選択ロジック６３８は、図２Ｂのデータ構造２２０の第１のＴＸＯＰオプション２３２と第２のＴＸＯＰオプション２３４の間で選択するように動作可能であってもよい。
【００９２】
[00101]アクセスデバイス６１０の動作中に、プロセッサ６１６は、メモリ６２０に記憶された命令６２４に基づいて、１つまたは複数のアプリケーションを実行することができる。プロセッサ６１６はまた、送信機会選択ロジック６２６に関連付けられた命令を実行するように動作可能であってもよい。
【００９３】
[00102]アクセスデバイス６１０は、ワイヤレス接続を確立することを要求する（たとえば、関連付け要求を発行する）要求をステーションデバイス６３０から受信することができる。アクセスデバイス６１０は、アクセスデバイス６１０のアンテナ６１４およびトランシーバ６１２を介して要求を受信することができる。要求を受信したことに応答して、アクセスデバイス６１０およびステーションデバイス６３０は、接続ルーチン（たとえば、ＩＥＥＥ８０２．１１ａｈ準拠接続ルーチン）に関与することができる。接続ルーチンの正常な成功（successful completion）の後、ワイヤレス接続は、アクセスデバイス６１０とステーションデバイス６３０の間で確立され得る。
【００９４】
[00103]接続ルーチンの前に、その間に、またはそれに続いて、アクセスデバイス６１０は、ステーションデバイス６３０がアクセスカテゴリデータ６４２を含むかどうか判断することができる。アクセスデバイス６１０は、ステーションデバイス６３０からのアクセスカテゴリデータ６４２に関連付けられた情報を要求することができ、またはステーションデバイスはワイヤレス接続を確立するための要求の一部として情報を提供することができる。ステーションデバイス６３０がアクセスカテゴリデータ６４２を含むと判断したことに応じて、アクセスデバイスは、ステーションデバイス６３０のアクセスカテゴリデータ６４２は更新される必要があるかどうかさらに判断することができる。たとえば、アクセスカテゴリデータ６４２は、図１のアクセス制御データ１１０および１３０〜１３６であっても、または図２Ａ〜図２Ｆのデータ構造２００、２２０、２４０、２６０、２８０、および２９０であってもよい。
【００９５】
[00104]ステーションデバイス６３０はアクセスカテゴリデータ６４２を含まないという判断に応じて、またはアクセスカテゴリデータ６４２が更新される必要があるという判断に応じて、アクセスデバイス６１０は、アクセスデバイス６１０のアクセスカテゴリデータ６２２の少なくとも一部をステーションデバイス６３０に送ることができる。ステーションデバイス６３０は、アクセスカテゴリデータ６２２の一部を受信し、アクセスカテゴリデータ６４２としてステーションデバイス６３０のメモリ６４０にアクセスカテゴリデータ６２２を記憶することができる。
【００９６】
[00105]一代替実施形態では、アクセスデバイス６１０は、ステーションデバイス６３０のメモリ６４０内に記憶するためのステーションデバイス６３０にアクセスデバイス６１０のアクセスカテゴリデータ６２２を自動的に送信することができる。ワイヤレス接続が確立され、ステーションデバイス６３０がアクセスカテゴリデータ６４２を含むとき、アクセスデバイス６１０およびステーションデバイス６３０はワイヤレス接続を介してデータを通信することができる。
【００９７】
[00106]ステーションデバイス６３０からアクセスデバイス６１０にデータ（たとえばデータパケット）を送るために、ステーションデバイス６３０は、アクセスカテゴリデータ６４２を使用して、データの送信に適用される分散型チャネルアクセスパラメータを決定することができる。データの送信の前に、ステーションデバイス６３０は、送信されるべきデータに関連付けられたデータタイプを判断することができる。たとえば、ステーションデバイス６３０は、データパケットに関連付けられたアプリケーション層に少なくとも部分的に基づいて、データタイプを判断することができる。ステーションデバイス６３０は、次いで、判断されたデータタイプに基づいて、データの送信のために使用されるべき分散型チャネルパラメータを決定することができる。特定の一実施形態では、ステーションデバイス６３０の送信機会選択ロジック６３８は、データを送信するときに使用されるべき複数の送信機会（ＴＸＯＰ）オプションのうち１つを選択することができる。
【００９８】
[00107]ステーションデバイス６３０は、決定された分散型チャネルアクセスパラメータを使用して、アクセスデバイス６１０にデータをワイヤレス送信することができる。ステーションデバイス６３０は、ステーションデバイス６３０のトランシーバ６３２およびアンテナ６３４を介してデータを送信することができる。
【００９９】
[00108]特定の一実施形態では、ステーションデバイス６３０は、センサデータを生成するセンサおよび／またはアプリケーションを含むことができる。センサデータに加えて、ステーションデバイス６３０はまた、媒体データ（たとえば、音声データ、ビデオデータ、またはこれらの組合せ）、ベストエフォートデータ、バックグラウンドデータ、またはこれらの組合せ）などの、センサデータ以外の別のタイプのデータを生成することができる。ステーションデバイス６３０のアクセスカテゴリデータ６４２は、図１のアクセス制御データ１１０および１３０〜１３６、図２Ａ〜図２Ｆのデータ構造２００、２２０、２４０、２６０、２８０、および２９０、またはそれらの組合せを含むことができる。ステーションデバイス６３０のデータトラフィック（たとえば、センサデータおよびセンサデータ以外のデータ）は、そのようなデータトラフィックのアクセスカテゴリデータタイプに基づいて優先度を付けられ得る。たとえば、センサトラフィック（たとえばセンサデータ）は、センサアクセスカテゴリ（たとえばＳＥまたはＡＣ＿ＳＥ）に関連付けられ得、他のタイプのトラフィック（たとえば、センサデータ以外のデータ）よりも高い優先度で送信され得る。たとえば、センサアクセスカテゴリ（ＳＥ）は、最も高い優先度（たとえば、低い調停フレーム間間隔数（ＡＩＦＳＮ）値）が割り当てられ得る。
【０１００】
[00109]データの送信の前に、ステーションデバイス６３０は、送信されるべきデータに関連付けられたアクセスカテゴリを判断することができる。たとえば、アクセスカテゴリは、送信されるべきデータに関連付けられたデータタイプに基づいて判断され得る。特定の一実施形態では、データタイプはセンサデータであり、アクセスカテゴリはセンサカテゴリ（たとえば、図２Ａ〜図２Ｆのデータ構造２００、２２０、２４０、２６０、２８０、および２９０に示されるセンサカテゴリ（ＡＣ＿ＳＥ））である。ステーションデバイス６３０は、図２Ａ〜図２Ｆのデータ構造２００、２２０、２４０、２６０、２８０、および２９０のうち１つまたは複数を使用して、データの送信中に使用するための１つまたは複数のパラメータを決定することができる。
【０１０１】
[00110]第１の例示的な実施形態では、ステーションデバイス６３０は、送信されるべきデータに関連付けられた分散型チャネルアクセスパラメータを使用して、データを送信することができる。ステーションデバイス６３０は、送信されるべきデータに関連付けられたアクセスカテゴリを判断することができる。たとえば、ステーションデバイス６３０は、送信されるべきデータに関連付けられたデータタイプに基づいて、データのアクセスカテゴリを判断することができる。特定の一実施形態では、データのデータタイプはセンサデータタイプである。ステーションデバイス６３０は、データに関連付けられたアクセスカテゴリに基づいて分散型チャネルアクセスパラメータを決定するために、ステーションデバイス６３０のアクセスカテゴリデータ６４２にアクセスすることができる。たとえば、アクセスカテゴリデータ６４２は、図２Ａ〜図２Ｂのデータ構造２００、２２０のうち１つまたは複数を含むことができ、ステーションデバイス６３０は、図２Ａ〜図２Ｂのデータ構造２００、２００のうち１つまたは複数を使用して、分散型チャネルアクセスパラメータを識別することができる。分散アクセスパラメータは、調停フレーム内間隔数（ＡＩＦＳＮ）値、ＣＷｍｉｎ値、ＣＷｍａｘ値、またはこれらの組合せを含み得る。ステーションデバイス６３０は、データに関連付けられた識別された分散型チャネルアクセスパラメータに少なくとも部分的に基づいて、データを送信することができる。
【０１０２】
[00111]第２の例示的な実施形態では、ステーションデバイス６３０は、送信されるべきデータに関連付けられた送信機会（ＴＸＯＰ）値を使用して、データを送信することができる。たとえば、ステーションデバイス６３０は、送信されるべきデータに関連付けられたアクセスカテゴリに基づいて、ＴＸＯＰ値を判断することができる。ステーションデバイス６３０の送信機会選択ロジック６３８は、データを送信するときに使用されるべき複数の送信機会（ＴＸＯＰ）オプションのうち１つを選択することができる。ステーションデバイス６３０は、データに関連付けられたアクセスカテゴリに基づいて選択されたＴＸＯＰオプションのＴＸＯＰ値を識別するために、ステーションデバイス６３０のアクセスカテゴリデータ６４２にアクセスすることができる。たとえば、アクセスカテゴリデータ６４２は図２Ｂのデータ構造２２０を含むことができ、ステーションデバイス６３０は図２Ｂのデータ構造２２０のＴＸＯＰ値を識別することができる。ステーションデバイス６３０は、データに関連付けられた識別されたＴＸＯＰ値に少なくとも部分的に基づいて、データを送信することができる。
【０１０３】
[00112]第３の例示的な実施形態では、ステーションデバイス６３０は、送信されるべきデータに関連付けられたユーザ優先度（ＵＰ）値を使用して、データを送信することができる。たとえば、ステーションは、送信されるべきデータに関連付けられたアクセスカテゴリに基づいて、ＵＰ値を判断することができる。ステーションデバイス６３０は、データに関連付けられたアクセスカテゴリに基づいてＵＰ値を識別するために、ステーションデバイス６３０のアクセスカテゴリデータ６４２にアクセスすることができる。たとえば、アクセスカテゴリデータ６４２は、図２Ｃ〜図２Ｆのデータ構造２４０、２６０、２８０のうち１つまたは複数で維持されてもよく、ステーションデバイス６３０は、図２Ｃ〜図２Ｆのデータ構造２４０、２６０、２８０のうち１つまたは複数に基づいてＵＰ値を識別することができる。ステーションデバイス６３０は、データに関連付けられた識別されたＵＰ値に少なくとも部分的に基づいて、データを送信することができる。たとえば、ステーションデバイス６３０が、センサデータに対応する第１のデータと、音声データに対応する第２のデータとを送信する必要があるとき、ステーションは、センサデータに関連付けられた第１のＵＰ値と、音声データに関連付けられた第２のＵＰ値とを決定することができる。ステーションデバイス６３０は、第１のＵＰ値および第２のＵＰ値に基づいて、第１のデータ（たとえばセンサデータ）と第２のデータ（たとえば音声データ）とを送ることに優先度を付けることができる。特定の一実施形態では、センサデータの第１のＵＰ値は、音声データの第２のＵＰ値よりも高い数値を有し、数値が高いことは、センサデータが音声データよりも高い優先度を有することを示す。
【０１０４】
[00113]図７を参照すると、分散型チャネルアクセスパラメータを使用して通信する方法の特定の一実施形態の流れ図が開示されており、７００と全体的に指定されている。方法７００は、データをワイヤレス送信するように構成されたデバイスによって実行され得る。たとえば、デバイスは、図１のアクセスデバイス１０２またはステーションデバイス１２０〜１２６であっても、または図６のアクセスデバイス６１０およびステーションデバイス６３０であってもよい。
【０１０５】
[00114]方法７００は、７０２に、アクセスカテゴリデータの少なくとも一部を受信することを含む。たとえば、アクセスカテゴリデータの少なくとも一部は、第１のデータの送信のために使用されるべき分散型チャネルアクセスパラメータを決定する前に、アクセスデバイス（たとえばアクセスポイント）から受信され得る。アクセスカテゴリデータ（またはその一部）は、１つまたは複数のアクセスカテゴリを含むことができる。１つまたは複数のアクセスカテゴリは、媒体データをワイヤレス通信するために使用されるべき分散型チャネルアクセスパラメータを指定する少なくとも１つの媒体アクセスカテゴリを含むことができる。たとえば、アクセスカテゴリデータは、図１のアクセス制御データ１１０および１３０〜１３６であっても、図２Ａ〜図２Ｆのデータ構造２００、２２０、２４０、２６０、２８０、および２９０であっても、または図６のアクセスカテゴリデータ６２２および６４２であってもよい。特定の一実施形態では、ステーションデバイスは、アクセスデバイスからアクセスカテゴリデータを受信することができる。別の例では、アクセスカテゴリデータは、ステーションデバイスの構成のときに受信され得る。
【０１０６】
[00115]方法７００は、７０４に、送信されるべき第１のデータのデータタイプを決定することを含むことができる。方法７００は、７０６に、アクセスカテゴリデータを使用して、第１のデータのデータタイプに割り当てられたアクセスカテゴリに基づいて、第１のデータの送信のために使用されるべき分散型チャネルアクセスパラメータを決定することも含むことができる。アクセスカテゴリデータは、センサデータをワイヤレス通信するために使用されるべきセンサデータ分散型チャネルアクセスパラメータを指定するセンサアクセスカテゴリを含む、１つまたは複数のアクセスカテゴリを指定する。方法７００は、７０８に、決定された分散型チャネルアクセスパラメータを使用して、第１のデータをワイヤレス送信することを含むことができる。
【０１０７】
[00116]したがって、図７の方法７００は、デバイスが、低いデューティサイクルを有するセンサトラフィックに関連付けられたセンサアクセスカテゴリを有する分散型チャネルアクセスパラメータを使用して（たとえば、これに応じて）データ（たとえばセンサデータ）をワイヤレス送信することを可能にすることができる。センサトラフィックに関連付けられたセンサアクセスカテゴリは、複数の他のアクセスカテゴリと比較して最も高い優先度（たとえば、最も小さいＡＩＦＳＮ値）を有することができる。他のアクセスカテゴリよりも低いＡＩＦＳＮ値をセンサアクセスカテゴリに割り当てることによって、エネルギー消費量は、センサデータ（たとえばセンサトラフィック）を送信するデバイスのために制限され得る。
【０１０８】
[00117]図８を参照すると、分散型チャネルアクセスパラメータを使用して転送する方法の特定の一実施形態の流れ図が開示されており、８００と全体的に指定されている。方法８００は、データをワイヤレス送信するように構成されたデバイスによって実行され得る。たとえば、デバイスは、図１のアクセスデバイス１０２であっても、図１のステーションデバイス１２０〜１２６であっても、図６のアクセスデバイス６１０であっても、または図６のステーションデバイス６３０であってもよい。
【０１０９】
[00118]方法８００は、８０２に、ワイヤレス接続を確立するための要求をステーションデバイスから受信することを含むことができる。たとえば、ステーションデバイスは、図１のステーションデバイス１２０〜１２６または図６のステーションデバイス６３０のうち１つであってもよい。
【０１１０】
[00119]方法８００は、８０４に、ステーションデバイスがアクセス制御データを含むかどうか判断することを含むことができる。たとえば、アクセスカテゴリデータは、図１のアクセス制御データ１１０および１３０〜１３６、図２Ａ〜図２Ｆのデータ構造２００、２２０、２４０、２６０、２８０、および２９０、または図６のアクセスカテゴリデータ６２２および６４２のうち１つであってもよい。ステーションデバイスはアクセス制御データを含まないという判断を受けて、方法８００は８０６に進むことができる。ステーションデバイスはアクセス制御データを含むという判断を受けて、方法８００は８０８に進むことができる。
【０１１１】
[00120]８０６に移って、方法８００は、ステーションデバイスにアクセスカテゴリデータの少なくとも一部を送ることを含むことができる。次いで、方法は８０８に進むことができる。
【０１１２】
[00121]ステーションデバイスはアクセス制御データを含むという判断を受けて、方法８００は８０８に進むことができる。８０８では、方法８００は、ステーションデバイスとのワイヤレス接続を確立することを含むことができる。たとえば、ワイヤレス接続は、ＩＥＥＥ８０２．１１ａｈ準拠接続ルーチンを使用して確立され得る。
【０１１３】
[00122]したがって、図８の方法８００は、デバイス（たとえばアクセスデバイス）が、ステーションデバイスにアクセス制御データ（たとえば分散型アクセスパラメータ）の少なくとも一部を送信することを可能にすることができる。ステーションデバイスに提供されるアクセス制御データの一部は、ステーションデバイスが通信する（たとえば送信する）ように構成されるトラフィックのタイプ（たとえばデータのタイプ）に基づくことができる。アクセス制御データは、低いデューティサイクルを有するセンサトラフィックに関連付けられたセンサアクセスカテゴリを指定することができる。関連付けられたセンサアクセスカテゴリは、複数の他のアクセスカテゴリに対して、最も高い優先度（たとえば、最も低いＡＩＦＳＮ値）を有することができる。他のアクセスカテゴリよりも低いＡＩＦＳＮ値をセンサアクセスカテゴリに割り当てることによって、エネルギー消費量は、デバイスのために制限され得る。
【０１１４】
[00123]図９を参照すると、説明する実施形態による分散型チャネルアクセスを使用して通信するように動作可能なプロセッサを含むワイヤレスデバイスの特定の一実施形態のブロック図が開示されており、９００と全体的に指定されている。デバイス９００は、メモリ９３２に結合された、プロセッサ９１０などのプロセッサを含む。プロセッサ９１０は、送信機会（ＴＸＯＰ）選択ロジック９１２を含むことができる。たとえば、ＴＸＯＰ選択ロジック９１２は、図６の送信機会選択ロジック６２６および６３８を含むことができる。
【０１１５】
[00124]メモリ９３２は、データ（たとえばアクセスカテゴリデータ９６２）、命令、またはデータと命令の両方を記憶する非一時的コンピュータ可読記憶媒体であってもよい。たとえば、アクセスカテゴリデータ９６２は、図１のアクセス制御データ１１０および１３０〜１３６、図２Ａ〜図２Ｆのデータ構造２００、２２０、２４０、２６０、２８０、および２９０、または図６のアクセスカテゴリデータ６２２および６４２のうち１つであってもよい。特定の一実施形態では、メモリ９３２は、プロセッサ９１０にデバイス９００の１つまたは複数の機能を実行させるためにプロセッサ９１０によって実行可能であり得る命令９５２を含むことができる。たとえば、命令９５２は、ユーザアプリケーション、オペレーティングシステム、または他の実行可能な命令、またはこれらの組合せを含むことができる。命令９５２は、プロセッサ９１０に図１および図６〜図８のいずれかに関して説明する機能の少なくとも一部を実行させるためにプロセッサ９１０によって実行可能であり得る。たとえば、命令９５２は、コンピュータ（たとえばプロセッサ９１０）に図７の方法７００、図８の方法８００、またはこれらの組合せを実行させるためにコンピュータによって実行可能な命令を含むことができる。
【０１１６】
[00125]特定の一実施形態では、メモリ９３２は、プロセッサ９１０によって実行されたとき、プロセッサ９１０に、送信されるべき第１のデータのデータタイプを判断させ、アクセスカテゴリデータを使用して、第１のデータのデータタイプに割り当てられたアクセスカテゴリに基づいて第１のデータの送信のために使用されるべき分散型チャネルアクセスパラメータを決定させる命令を含む非一時的コンピュータ可読媒体を含む。アクセスカテゴリデータは、センサデータをワイヤレス通信するために使用されるべきセンサデータ分散型チャネルアクセスパラメータを指定するセンサアクセスカテゴリを含む、１つまたは複数のアクセスカテゴリを指定することができる。特定の一実施形態では、命令は、さらに、プロセッサに、決定された分散型チャネルアクセスパラメータを使用する第１のデータのワイヤレス送信を開始させることができる。たとえば、分散型チャネルアクセスパラメータは、調停フレーム内間隔数（ＡＩＦＳＮ）値、ＣＷｍｉｎ値、ＣＷｍａｘ値、送信機会（ＴＸＯＰ）値、ユーザ優先度（ＵＰ）値、またはこれらの組合せを含むことができ、プロセッサは、分散型チャネルアクセスパラメータのうち１つまたは複数に応じて第１のデータの送信を開始することができる。
【０１１７】
[00126]別の特定の実施形態では、メモリ９３２は、プロセッサ９１０によって実行されるとき、プロセッサに、ステーションデバイスがセンサデータを通信することを可能にするためにステーションデバイスにアクセスカテゴリデータの少なくとも一部を送らせる命令を含む非一時的コンピュータ可読媒体を含む。アクセスカテゴリデータは、センサデータをワイヤレス通信するために使用されるべきセンサデータ分散型チャネルアクセスパラメータを指定するセンサアクセスカテゴリを含む、１つまたは複数のアクセスカテゴリを指定することができる。
【０１１８】
[00127]デバイス９００は、信号および／またはデータパケットを送信および受信するためのトランシーバ９５０を含むことができる。たとえば、デバイス９００は、デバイス９００が信号および／またはパケットを送信するとき、送信機として機能することができ、かつデバイス９００が信号および／またはパケットを受信するとき、受信機として機能することができる。
【０１１９】
[00128]図９は、プロセッサ９１０に、およびディスプレイ９２８に結合され得るディスプレイコントローラ９２６も示す。コーダ／デコーダ（コーデック）９３４（たとえば、オーディオコーデックおよび／または音声コーデック）はプロセッサ９１０に結合され得る。スピーカ９３６およびマイクロホン９３８はコーデック９３４に結合され得る。図９はまた、ワイヤレスコントローラ９４０が、プロセッサ９１０に、およびワイヤレスアンテナ９４２に結合されたトランシーバ９５０に結合され得ることを示す。特定の一実施形態では、プロセッサ９１０、ディスプレイコントローラ９２６、メモリ９３２、コーデック９３４、ワイヤレスコントローラ９４０、およびトランシーバ９５０が、システムインパッケージデバイスまたはシステムオンチップデバイス９２２に含まれる。
【０１２０】
[00129]特定の一実施形態では、入力デバイス９３０および電源９４４がシステムオンチップデバイス９２２に結合される。その上、特定の一実施形態では、図９に示されるように、ディスプレイ９２８、入力デバイス９３０、スピーカ９３６、マイクロホン９３８、ワイヤレスアンテナ９４２、および電源９４４は、システムオンチップデバイス９２２の外部にある。しかしながら、ディスプレイ９２８、入力デバイス９３０、スピーカ９３６、マイクロホン９３８、ワイヤレスアンテナ９４２、および電源９４４の各々は、インターフェースまたはコントローラなどの、システムオンチップデバイス９２２の構成要素に結合可能である。
【０１２１】
[00130]図９はワイヤレス通信デバイスを示しているが、プロセッサ９１０およびメモリ９３２は、マルチメディアプレーヤ、エンターテイメントユニット、ナビゲーションデバイス、携帯情報端末（ＰＤＡ）、固定位置データユニット、またはデータをワイヤレス通信するように構成された、コンピュータ（たとえば、タブレットコンピュータ、ラップトップコンピュータ、デスクトップコンピュータなど）、媒体デバイス、センサ、アクセスポイント、ルータもしくはゲートウェイデバイス、もしくは別のデバイスなどの他のデバイスに統合され得ることに留意されたい。
【０１２２】
[00131]説明した実施形態に関連して、第１のデータの送信のために使用されるべき分散型チャネルアクセスパラメータを決定する前にアクセスポイントからアクセスカテゴリデータの少なくとも一部を受信するための手段を含む装置が開示される。たとえば、この受信するための手段は、図６のトランシーバ６１２および６３２ならびにアンテナ６１４および６３４、図９のワイヤレスコントローラ９４０およびアンテナ９４２、またはこれらの任意の組合せのうち１つまたは複数を含むことができる。
【０１２３】
[00132]装置は、送信されるべき第１のデータのデータタイプを決定するための手段を含む。たとえば、この第１のデータのデータタイプを決定するための手段は、図６のプロセッサ６１６および６３６、図９のプロセッサ９１０、またはこれらの任意の組合せのうち１つまたは複数を含むことができる。
【０１２４】
[00133]装置は、アクセスカテゴリデータを使用して、第１のデータのデータタイプに割り当てられたアクセスカテゴリに基づいて、第１のデータの送信のために使用されるべき分散型チャネルアクセスパラメータを決定するための手段を含む。たとえば、このアクセスカテゴリデータを使用して分散型チャネルアクセスパラメータを決定するための手段は、図６のプロセッサ６１６および６３６、図９のプロセッサ９１０、またはこれらの任意の組合せのうち１つまたは複数を含むことができる。
【０１２５】
[00134]装置は、決定された分散型チャネルアクセスパラメータを使用して、第１のデータをワイヤレス送信するための手段も含む。たとえば、この送信するための手段は、図６のトランシーバ６１２および６３２ならびにアンテナ６１４および６３４、図９のワイヤレスコントローラ９４０およびアンテナ９４２、またはこれらの任意の組合せのうち１つまたは複数を含むことができる。
【０１２６】
[00135]説明した実施形態に関連して、ワイヤレス接続を確立するための要求をステーションデバイスから受信するための手段を含む装置が開示される。たとえば、この受信するための手段は、図６のトランシーバ６１２および６３２ならびにアンテナ６１４および６３４、図９のワイヤレスコントローラ９４０およびアンテナ９４２、またはこれらの任意の組合せのうち１つまたは複数を含むことができる。
【０１２７】
[00136]装置は、ステーションデバイスがアクセス制御データを含むかどうか判断するための手段を含む。たとえば、この、ステーションデバイスがアクセス制御データを含むかどうか判断するための手段は、図６のプロセッサ６１６および６３６、図９のプロセッサ９１０、またはこれらの任意の組合せのうち１つまたは複数を含むことができる。
【０１２８】
[00137]装置は、ステーションデバイスにアクセスカテゴリデータの少なくとも一部を送るための手段を含む。たとえば、この送るための手段は、図６のトランシーバ６１２および６３２ならびにアンテナ６１４および６３４、図９のワイヤレスコントローラ９４０およびアンテナ９４２、またはこれらの任意の組合せのうち１つまたは複数を含むことができる。
【０１２９】
[00138]装置は、このステーションデバイスとのワイヤレス接続を確立するための手段も含む。たとえば、この確立するための手段は、図６のトランシーバ６１２および６３２ならびにアンテナ６１４および６３４、図９のワイヤレスコントローラ９４０およびアンテナ９４２、またはこれらの任意の組合せのうち１つまたは複数を含むことができる。
【０１３０】
[00139]本明細書で開示される実施形態に関連して説明した様々な例示的な論理ブロック、構成、モジュール、回路、およびアルゴリズムステップは、電子ハードウェア、コンピュータソフトウェア、または電子ハードウェアとコンピュータソフトウェアの両方の組合せとして実施され得ることは、当業者にはさらに諒解されよう。様々な例示的な構成要素、ブロック、構成、モジュール、回路、およびステップは、それらの機能に関して、上記で概略的に説明されてきた。そのような機能をハードウェアとして実施するかまたはソフトウェアとして実施するかは、特定の適用例および全体的なシステムに課せられた設計制約に依存する。当業者は、説明した機能を各特定の適用例に関して様々な方法で実施することができるが、そのような実装形態の決定は、本開示の範囲からの逸脱を引き起こすとして解釈されるべきではない。
【０１３１】
[00140]本明細書で開示される実施形態に関連して説明した方法またはアルゴリズムのステップは、ハードウェアで直接実施されても、プロセッサによって実行されるソフトウェアモジュールで実施されても、またはこの２つの組合せで実施されてもよい。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ）、レジスタ、ハードディスク、着脱可能ディスク、コンパクトディスク読取り専用メモリ（ＣＤ−ＲＯＭ）、または任意の他の形態の非一時的記憶媒体に常駐することができる。例示的な記憶媒体は、プロセッサが、その記憶媒体から情報を読み取り、かつその記憶媒体に情報を書き込むことができるように、プロセッサに結合される。代替として、記憶媒体はプロセッサに内蔵されてもよい。プロセッサおよび記憶媒体は、特定用途向け集積回路（ＡＳＩＣ）内にあることができる。ＡＳＩＣは、コンピューティングデバイスまたはユーザ端末（たとえば、モバイル電話またはＰＤＡ）内にあることができる。代替として、プロセッサおよび記憶媒体は、コンピューティングデバイスまたはユーザ端末内の個別構成要素としてあってもよい。
【０１３２】
[00141]開示する実施形態の前述の説明は、当業者がこれらの開示する実施形態を作製または使用することを可能にするために提供されるものである。これらの実施形態の様々な修正は、当業者には容易に明らかであり、本明細書で定義される原理は、本開示の範囲から逸脱することなく他の実施形態に適用され得る。したがって、本開示は、本明細書で開示される実施形態に限定されることを意図したものではなく、以下の特許請求の範囲によって定義される原理および新規な特徴に一致する可能な最も広い範囲に与えられることを意図したものである。
【図１】
2015506635.tif 000003
【図２Ａ】
2015506635.tif 000004
【図２Ｂ】
2015506635.tif 000005
【図２Ｃ】
2015506635.tif 000006
【図２Ｄ】
2015506635.tif 000007
【図２Ｅ】
2015506635.tif 000008
【図２Ｆ】
2015506635.tif 000009
【図３Ａ】
2015506635.tif 000010
【図３Ｂ】
2015506635.tif 000011
【図４】
2015506635.tif 000012
【図５Ａ】
2015506635.tif 000013
【図５Ｂ】
2015506635.tif 000014
【図６】
2015506635.tif 000015
【図７】
2015506635.tif 000016
【図８】
2015506635.tif 000017
【図９】
2015506635.tif 000018
【図１０】
2015506635.tif 000019
【国際調査報告】
2015506635.tif 000020
2015506635.tif 000021
2015506635.tif 000022
2015506635.tif 000023
2015506635.tif 000024
2015506635.tif 000025